(57)【要約】【課題】　フィルム画像が、走査され、且つ、デジタル化されてデジタル画像を供給する写真方法を提供する。【解決手段】　写真方法において、フィルム画像は走査され、デジタル化されてデジタル画像を供給する。フィルム画像に関連付けられる識別子が読出しされる。識別子は、フィルタ効果の群を指し示す。各フィルタ効果は、予め割当てられるデジタル修正を有する。修正は、各フィルタ効果に対し補修的ではない。１つのフィルタ効果がデジタル画像において検出される。フィルタ効果の検出に応答して、予め割当てられるデジタル修正がデジタル画像に施される。【選択図】　図１
2004140829.tif 000002
【特許請求の範囲】
【請求項１】
　デジタル画像におけるフィルタ効果を検出する段階と、
　上記検出に応答して、上記デジタル画像にデジタル修正を適用する段階とを含み、
　上記デジタル修正は、上記フィルタ効果に予め割当てられ、且つ、上記フィルタ効果に対し非補修的である写真方法。
【請求項２】
　捕捉画像から得られ、複数の画素をそれぞれ有する複数のデジタル画像を受け取る段階と、
　１つ以上の捕捉画像が、所定のフィルタ効果のセットのうちの任意のフィルタ効果を含むことを示し、上記デジタル画像に関連付けられる、指示を受け取る段階と、
　上記デジタル画像を、各画素に対し少なくとも１つの輝度画素値と少なくとも２つのクロミナンス画素値をそれぞれ有する輝度−クロミナンス表現に変換する段階と、
　上記デジタル画像の上記クロミナンス画素値から、予測クロミナンスパラメータを計算する段階と、
　各予測クロミナンスパラメータを、各所定のフィルタ効果にそれぞれ関連付けられる基準クロミナンスパラメータのうちの少なくとも１つの基準クロミナンスパラメータと比較する段階とを含む、写真方法。
【請求項３】
　フィルム画像の群を写真フィルム上に捕捉する段階と、
　上記捕捉段階において、フィルタリング処理によるフィルタ効果を有するフィルタリング処理されたフィルム画像を供給するよう、１つ以上の上記フィルム画像の少なくとも一部を選択的にフィルタリング処理する段階と、
　現像画像を供給するよう上記フィルム画像を現像する段階と、
　上記現像画像に対応する電子画像の群を供給するよう上記可視画像を走査する段階と、
　上記フィルタリング処理されたフィルム画像に対応する上記電子画像における上記フィルタ効果を検出する段階と、
　上記検出に応じて、上記フィルタ効果を有する画像のみにデジタル修正を適用する段階とを含み、
　上記デジタル修正は、上記フィルタ効果に予め割当てられる、写真方法
【請求項４】
　一連のデジタル画像を供給するために、フィルムユニット群のフィルムストリップ上の一連の捕捉画像をデジタル化するデジタイザと、
　１つ以上の上記デジタル画像におけるフィルタ効果を検出し、上記検出に応じて、各デジタル画像にデジタル修正を適用するよう上記デジタル画像を自動デジタル処理するデジタルフルフィルメントエンジンと、を含み、
　上記デジタル修正は、上記フィルタ効果に予め割当てられ、且つ、上記フィルタ効果に対し非補修的である、写真仕上げユニット。
【請求項５】
　第１及び第２の複数のカメラと、
　写真仕上げユニットとを含む、写真システムであって、
　各カメラは、
　本体と、
　上記本体内に着脱可能に配置され、アーカイバル媒体を含むフィルムユニットと、
　上記本体内に配置される捕捉ユニットと、を含み、
　上記捕捉ユニットは、光学路を画成し、
　上記捕捉ユニットは、上記アーカイバル媒体にアーカイバル画像として、上記光学路に沿って伝えられる一連の光の像を選択的に捕捉し、
　上記第１の複数のカメラの各カメラは、上記本体内に配置されるカラーフィルタを更に含み、
　上記フィルタは、光学路にあり、上記光の像がフィルタ効果を受ける使用位置を有し、
　上記第２の複数のカメラの各カメラは、上記カラーフィルタを有さず、
　上記写真仕上げユニットは、
　一連のデジタル画像を供給するよう上記フィルムユニットの群のフィルムストリップ上の一連の捕捉画像をデジタル化するデジタイザと、
　１つ以上の上記デジタル画像におけるフィルタ効果を検出し、上記検出に応じて、各デジタル画像にデジタル修正を適用するよう上記デジタル画像を自動デジタル処理するデジタルフルフィルメントエンジンとを含み、
　上記デジタル修正は、上記フィルタ効果に予め割当てられ、且つ、上記フィルタ効果に対し非補修的である、システム。
【発明の詳細な説明】
【技術分野】
【０００１】
　本発明は、写真術、及び、写真機器と写真方法に関り、より具体的には、フィルタ符号化された画像を利用する写真システム及び写真方法に係る。
【背景技術】
【０００２】
　写真フィルムストリップ上に光学的に記録される符号（ｅｎｃｏｄｅｍｅｎｔ）は、プリント及び他の機能を制御するのに長いこと用いられている。特許文献１は、光学符号を説明し、被写体からの反射光又はカメラ光源からの直接光を用いて、光学符号を記録するための照明を与えることは周知であることを示す。この特許は更に、周囲光を用いて符号を書込みすることは、一部の照明条件下では記録された情報を識別することが困難となる欠点を有することに言及している。
【０００３】
　使い捨てカメラが組立てられる前に、フィルム上に符号を予め記録することが知られている。更に、撮影時のカメラ条件に基づいて、選択された画像フレームに対し符号を記録することも知られている。特許文献２は、この２つの方法を組合わせている。第１の符号は、組立て前にフィルム上に予め記録され、第２の符号は、選択スイッチの位置に基づいて選択されたフィルムフレームに追加される。フィルムユニット内の全ての画像に適用される符号は、繰り返されるのではなくて、全てのフレームに適用できるよう記録されることが可能である。特許文献３は、目に見えるバーコードでの、フィルムユニットの外側での多数の情報の記録を開示する。
【０００４】
　符号は様々な位置に置くことが可能である。特許文献２は、フィルムフレームに隣接するフィルムマージンへの光学符号の配置を開示する。特許文献４は、各フィルムフレーム内又は各フィルムフレームの隣りで、画像の横隣りへの光学符号の配置を開示する。１９９２年１１月１７日に公開された特許文献５は、擬似パノラマ及び擬似望遠最終画像フォーマットのために、一対のコード信号プレートとタンデムに動く一対の摺動可能なビューファインダマスクを有する使い捨てカメラを開示する。コード信号プレートは、各ビューファインダマスクがビューファインダ内の定位置にあるときに、露光開口の一部を覆う。コード信号プレートのうち一方は、１つのスロットを有するものとして説明される。他方のコード信号プレートは、２つのスロットを有するものとして説明される。（画像被写体はスロットを通して見ることができる。）最終画像には、コード信号プレートによって形成されたパターンが現れる。
【０００５】
　フィルムストリップの画像領域内に他の情報を記録することも知られている。特許文献６及び特許文献７は、フィルムパスに置かれるマスク上に印を記録し、この印は、撮影時に画像フレーム上に記録されることを開示する。特許文献８は、カメラ内のフラッシュユニットからの光を用いる同様の機構を開示する。１９９８年６月１９日に公開された特許文献９は、写真やテキストといった情報をフィルムストリップの画像領域に転送するために、マスクを介して光る専用内部光源を有するカメラを開示する。特許文献１０は、各画像に違う情報を追加するカメラを開示する。
【０００６】
　画質を向上するために、カメラにフィルタを用いることは知られている。特許文献１１は、フィルムの感色性のバランスをとるために使い捨てカメラにフィルタを用いることを開示する。１９９０年６月１８日に公開された特許文献１２は、着脱可能なフォトクロミックフィルタを有する使い捨てカメラを開示する。１９９１年４月１９日に公開された特許文献１３は、タングステンのバランスがとれたフィルムを野外で用いることを可能にするよう切替え可能な色補正フィルタを有する使い捨てカメラを開示する。１９８８年１月１６日に公開された特許文献１４は、フォトクロミックフィルタを有する使い捨てカメラを開示し、そのカメラは、フィルタの状態を判断する際に用いるためにフィルタ処理されていない基準パッチを記録することを開示する。
【０００７】
　１つ以上のフィルタを、撮影レンズ系と整列させる及び撮影レンズ系から外すよう動かす様々な機構が知られている。特許文献１５は、摺動可能な特殊効果用フィルタを有する使い捨てカメラを教示する。１９９９年９月７日に公開された特許文献１６は、摺動可能なフィルタを有する別のカメラを開示する。２０００年８月２９日に公開された特許文献１７は、回転式フィルタホイールを有するカメラを開示する。２０００年５月１６日に公開された特許文献１８及び２００１年１月３０日に公開された特許文献１９は、光学軸からはオフセットにされるフィルタホイールを有するカメラを開示する。特許文献２０は、写真フィルムとともにローラからローラへ移動する透明フィルムを有するカメラを開示する。
【０００８】
　デジタル写真仕上げでは、フィルムストリップ上の処理された画像は、走査され、デジタル処理され、次にプリントされる。一部の高速機器では、フィルムストリップの中心部は連続的に高解像度で走査される。マージンは、走査されないか、又は、別のスキャナを用いて低解像度で走査される。このことは、フィルムストリップマージン上の光符号の認識を困難にする。フィルムストリップの中心部に置かれた光符号は、画像領域又はフレーム間の合間を除去する。前者は、画質を直接的に劣化させる。後者は、例えば、３５ｍｍといったパーフォレイションがフィルムフレームに形成されないフィルムタイプにおいて、フィルムフレームの場所の認識を劣化させる。画像領域の損失に対する１つの解決策は、特許文献２１によって与えられる。この特許は、フィルムフレームの上に符号とを置いた後、デジタル的に符号を除去し、画像の失われた領域を修復する方法を開示する。しかし、この取組み方法は面倒であり、一部の画像情報が失われる。失われた情報は、近接する被写体材料を複製することによって自動的に継ぎ合わされる。しかし、一部のシーンでは、結果として得られる画像は、オリジナルのシーンから混乱させるほど劣化している場合がある。例えば、人間である被写体や、複雑な背景に符号が重なる場合に、望ましくない情報の損失が見られる。
【０００９】
　画像から、光源の色を検出し、光源の色を補正する多数の方法が公知である。特許文献２２、特許文献２３、特許文献２３がその例である。
【００１０】
　写真の被写体から反射した光を、写真フィルムフレームに符号を与えるのに用いる改善された写真システム、写真機器、及び方法方法を提供することが望ましい。符号は、取扱いが単純且つ容易であり、また、符号は、符号が重なった画像の内容を完全に置き換わるわけではない。
【特許文献１】米国特許第５，７４０，４７９号
【特許文献２】米国特許第６，３３２，０５９号
【特許文献３】米国特許第５，７６１，５５８号
【特許文献４】米国特許第５，５８７，７５２号
【特許文献５】日本国特許公開ＪＰ４−３２８５３７
【特許文献６】米国特許第５，１８９，４６７号
【特許文献７】米国特許第５，１２６，７７３号
【特許文献８】米国特許第５，４８６，８８５号
【特許文献９】日本国特許出願１０−１６１２２５
【特許文献１０】米国特許第２，２１０，６１０号
【特許文献１１】日本国特許３−１０９７６５
【特許文献１２】日本国特許公開２−７８９３５
【特許文献１３】日本国特許公開３−９４２４１
【特許文献１４】日本国特許公開６３−６４２８
【特許文献１５】米国特許第６，１７３，１２７号
【特許文献１６】日本国特許公開ＪＰ１１−２４２２５７
【特許文献１７】日本国特許公開ＪＰ２０００−２３５２１１
【特許文献１８】日本国特許公開ＪＰ２０００−１６２６９０
【特許文献１９】日本国特許公開ＪＰ２００１−２７７７３
【特許文献２０】米国特許第５，６９６，９９６号
【特許文献２１】米国特許第６，３１１，０１８号
【特許文献２２】米国特許第４，８４７，６８０号
【特許文献２３】米国特許第４，９１８，５１９号
【特許文献２４】米国特許第５，６５９，３５７号
【発明の開示】
【発明が解決しようとする課題】
【００１１】
　本発明は、特許請求の範囲によって定義付けられる。本発明は、広い意味で、フィルム画像が、走査され、且つ、デジタル化されてデジタル画像を供給する写真方法を提供することを目的とする。
【課題を解決するための手段】
【００１２】
　フィルム画像に関連付けられる識別子が読出しされる。識別子は、フィルタ効果の群を指し示す。各フィルタ効果には、あるデジタル修正が予め割当てられている。修正は、各フィルタ効果に対し補修的（ｒｅｍｅｄｉａｌ）ではない。１つのフィルタ効果が、デジタル画像中に検出される。そのフィルタ効果の検出に応じて、予め割当てられるデジタル修正が、そのデジタル画像に適用される。
【００１３】
　写真フィルムフレームに、画像のフィルタリングとして符号が供給される、改善された写真システム、写真機器、及び写真方法は、本発明の１つの有利な効果である。符号は、取扱いが単純且つ容易であり、また、符号が重なる画像コンテンツを完全に置き換えない。
【発明を実施するための最良の形態】
【００１４】
　本発明の上述した特徴及び他の特徴、さらに、その目的、また、それらを実現する方法は、添付図面と共になされる本発明の実施例の説明を参照することによって、より明らかとなり、且つ、本発明自体も、添付図面と共になされる本発明の実施例を参照することによって、より良好に理解することができるであろう。
【００１５】
　本発明の方法及びシステムにおいて、シーンの像は、特定のフィルタを有するカメラを用いて捕捉される。カメラは、全ての捕捉された写真、又は、選択された写真のみにフィルタリング処理をすることが可能である。フィルタは、特定のデジタル画像修正に関連付けられる。このことは、カメラ上に示されるか、又は、ユーザは知っている。フィルタリング処理された少なくとも一部の画像を含む捕捉画像は、媒体ユニットに格納されて、写真仕上げのために転送される。媒体ユニットは、写真仕上げの際に、所定のフィルタに関連付けられるデジタル修正の適用を含むデジタル画像処理を必要するものとして認識される。デジタル画像処理が適用されて、用いられた特定のフィルタが、フィルタリング処理された画像の様子から識別される。特定のフィルタに関連付けられるデジタル修正が決定され、フィルタリング処理された画像に適用される。フィルタリング処理されていない画像には、通常のデジタル処理が行われる。結果として得られる最終画像は、プリンタ、又は、別の方法によって供給される。
【００１６】
　本願で用いる「媒体ユニット」という用語は、媒体修正有り又は無しで、アーカイブ目的のために、画像データを格納することのできる媒体を意味する。「媒体ユニット」には、アーカイバル媒体、媒体の使用をサポートする物理的に関連付けられる構造体を含む。フィルムタイプの媒体ユニットでは、アーカバイル媒体は、写真フィルムストリップであり、像は、潜像として捕捉される。フィルムタイプフィルムユニットのホルダ又は支持体は、フィルムストリップが巻き付けられるスプールと、フィルムストリップ及びスプールを閉じ込めるキャニスタを含み得る。デジタルフィルムユニットでは、像は、デジタル形式で、メモリカード又はフロッピー（登録商標）ディスク又は他の磁気的、電子的、光学的、又は他のメモリシステムに格納される。媒体ユニットは、メモリ装置上の関連付けられる画像群で有り得、そのメモリ装置は、そのような群を複数有する。アーカイバル媒体ユニットと共に用いられるカメラは、再使用できるものでも、使い捨てでもよい。
【００１７】
　本願で用いる「使い捨てカメラ」及び類似の用語は、予めフィルムが装填される状態で消費者に供給され、且つ、カメラを分解することなく、部品を交換することなく、又は、特別なツールを用いることなく、フィルムを消費者が新しく装填することができないカメラを意味する。今日、使い捨てフィルムカメラは、広く利用可能となっている。デジタル使い捨てカメラは、限定的ではあるが使用されている。本発明は、一般的に、使い捨て写真フィルムカメラに関して議論する。
【００１８】
　図１の実線部を参照するに、シーンの像１０は、アーカイバル捕捉媒体と、アーカイバル媒体への光学路上に配置される符号化フィルタ（ｅｎｃｏｄｅｍｅｎｔ　ｆｉｌｔｅｒ）１６を有するカメラ１２を用いて捕捉される。（図１では、アーカイバル媒体は、フィルムユニット１４内にあるカラー写真フィルムである。）光の像１０を捕捉することにより生成されるアーカイバル像は、フィルタリング処理される、つまり、捕捉時にフィルタリング処理が行われる。図１では、アーカイバル像は、カラーフィルム上の潜像１８であり、そして、フィルタリング処理することにより、フィルムに到達する光のスペクトルが変更される。（このことは、図１において、潜像１８上の「フィルタリング処理されたカラー（ＦＩＬＴＥＲＥＤ　ＣＯＬＯＲ）」というテキストにより示す。）本願で用いる「カラーキャスト」という用語は、画像又は画像の一部への変更されたスペクトルの効果を示す。カラーキャストは、システムの制限内において、フィルタ１６の色を補足するものである。
【００１９】
　撮影が終了すると、フィルムユニット１４は、写真仕上げに出される。検出器２０が、フィルムユニット１４上の標識２２（図１には、「Ｘ」として示す）を読出しし、且つ、検出信号を、プログラム可能なコンピュータ等を含むデジタルフルフィルメントエンジン２３（図４に示す）に送る。検出信号は、標識２２を特定する。標識は、容易に検出できるよう設けられる。用いられる検出器２０及び標識２２の種類は、重要ではない。
【００２０】
　標識は、機械可読な形式、又は、人間な読出し可能な印、又は、その両方として設けられることができる。標識は、例えば、キャニスタ又はホルダといったフィルムユニット１４上の様々な場所、或いは、フィルムストリップ上に付されることが可能である。例えば、標識は、ホルダ又はフィルムストリップ上の光学バーコードであり、検出器はバーコードリーダであり得る。同様に、標識は、フィルムストリップの磁気層上に磁気的に記録されることも、又は、フィルムストリップマージンに光学的に記録されることも、又は、半導体メモリ（無線周波数又は直接接触によってアクセス可能である）に記録されることも可能であり、更に、フィルムストリップの１つ以上の層に形付けられる切り込みのような物理的な不連続性であってもよい。３５ｍｍ（タイプ１３５フィルム）では、標識のための好都合な場所は、フィルムストリップ上である。何故なら、従来の処理では、最初の段階において、キャニスタからフィルムストリップを分けるからである。
【００２１】
　標識は、媒体ユニット内の１つ以上のアーカイバル像が、フィルタ符号化され得るという情報を伝えればいいだけである。所望される場合は、追加の情報も、標識によって伝えることが可能である。そのような追加の情報の例として、識別番号、フィルムタイプ、及び利用可能な画像修正の種類が挙げられる。
【００２２】
　標識は、フィルムユニット内に一度記録される、又は、繰返し記録されることが可能である。例えば、標識は、各フィルムフレーム又はフィルムフレーム群に物理的に関連して記録されることが可能である。標識の各繰返しは、同じであるか、又は、どのアーカイバル像が特定のデジタル修正を受けるかの指定に関連なく変更し得る。
【００２３】
　フィルムユニット１４は、化学プロセッサ２４内で化学処理され、潜像１８が、フィルム画像２６として可視化される。化学処理の種類は重要ではなく、また、フィルムユニット１４内に含まれる材料を用いる、「インスタント」処理などを含む。可視画像２６は、フィルタリング処理されたままであり、つまり、捕捉時にフィルタリング処理の効果が施されている。可視画像２６は、次に走査される（２８）。結果として得られる電子画像３０は、可視画像２６に対応し、フィルタリング処理が施された状態である。
【００２４】
　本願では、「フィルタ」及び類似の用語は、一般的な感覚で用い、また、光学路の１つ以上の部分を透過する光を遮断する不透明のパネルは含まないものとする。フィルタは、光学的でもデジタルであってもよい。「フィルタ効果」という用語は、従って、時として、「対応するフィルタ効果」又は「対応するデジタルフィルタ効果」を示すことが含まれる。本願に説明する実施例では、フィルタは、カラーがつけられ、また、検出可能な特徴は、色特性における変化である。これは、現在好まれており、何故なら、非カラー情報は変わらないので、フィルタリング処理の際に失われないからである。一方で、他の特徴における変更を有するフィルタを用いることが可能である。例えば、スターフィルタ（個別に図示せず）を用いることが可能である。
【００２５】
　電子画像３０は、デジタル処理され（３２）、ここでは、デジタル画像は、例えば、エッジエンハンスメント及び出力システムに対する較正といった、フィルム画像のデジタル写真仕上げの際に適用される通常の（「再現的な」）デジタル処理が施される。
【００２６】
　写真画像は、一般的に、本願では、撮影された被写体の現実的な画像であり、且つ、潜像画像、現像画像、及び、電子画像と同一の情報コンテンツを有するものとして取り扱う。「再現的な」及び類似の用語は、本願では、そのような現実的な画像、及び、そのような画像を生成するのに用いる手順を示すために用いる。これは、例示目的の利便性のために与えられる単純化であって、画像は、当業者には周知の方法で処理時に異なることを理解するものとする。例えば、撮像システム及び媒体によって制限を受ける。フィルム画像は、粒子サイズといった制限を受ける。デジタル画像は、必ず画素化され、且つ、隣接する画素から部分的に推定される色値を一般的に有する。デジタル画像は更に、例えば、センサ欠陥によって劣化される画素値を推定するために、捕捉と保存間でエンハンスメント修正が施され得る。フィルム上の潜像は、化学的及び物理的に処理される。画像は、しばしば、非現実的な形式で保存され、画像を見られるようにするためには修正を必要とする。例えば、写真プリントフィルムは、ネガとして像を保存する。デジタル画像は、表示されるか又はプリントされなくてはならず、また、特定の表示装置に対しては復号化又は修正といった他の修正を必要とする場合もある。捕捉された像は更に、捕捉時に、ユーザによる意図的な修正が施される場合もある。例えば、画像は、符号化フィルタに追加される第２のフィルタを用いることによって修正され得る。
【００２７】
　デジタルフルフィルメントエンジン２３は、検出信号に応答して、ルックアップテーブル（別個に図示せず）にアクセスする。ルックアップテーブルでは、所定のデジタル修正が、各符号化フィルタ１６によってフィルタリング処理された電子画像を特定する検出可能な特徴に関連付けられる。デジタルフルフィルメントエンジン２３は、検出可能な特徴の有無を確認するために、電子画像３０を評価する。検出可能な特徴を検出すると、関連付けられるデジタル修正が、電子画像に適用される。図１では、デジタル修正は、カラー電子画像３０の、モノクロのグレースケール修正画像３４（図１に、フィルタリング処理されたグレースケール（「ＦＩＬＴＥＲＥＤ　ＧＲＡＹ　ＳＣＡＬＥ」）により示す）への変換である。
【００２８】
　識別子及び対応する検出信号は、フィルムユニットのアーカイバル画像は、符号化フィルタリング処理が施され、そして、写真仕上げは、このことを考慮に入れるべきであることを特定する。識別子は、特定のデジタル修正又は修正群を特定しても特定しなくてもよい。ある修正が特定される場合でも、検出信号は、そのデジタル修正が、特定の電子画像又は画像群に適用されるべきであるか否かを判断するために用いられない。便利な識別子は、フィルムストリップ又はフィルムキャニスタの一方又は両方の上に記録される、ＤＸコードのようなカートリッジＩＤである。例えば、ＤＸコード又は他のカートリッジＩＤは、フィルムタイプの指定内の符号化フィルタリング処理の有無を示すことができる。ＤＸ又は他の識別子は、従来技術に開示される任意の方法によってフィルムストリップ上に設けることができる。例えば、識別子は、米国特許第６，３１１，０１８号に開示されるように画像領域に位置付けられ、且つ、扱うことが可能である。
【００２９】
　デジタル修正の例としては、白黒及びセピアといったモノクロ描写、拡大及びクロッピング、所定のアスペクト比への変更、意図的な変形、コミック雑誌の絵のような色のべた塗り、ソフトフォーカス効果、コントラスト強調又は弱化、異なる媒体への出力に対し画像サイズの変更、所定の費用を用いてのフォトモンタージュが挙げられる。デジタル修正は、電子画像に特定のメタデータ（非画素情報）を追加することに限定することもできる。このことは、例えば、ネットワーク介して特定のアドレスに供給するといったダウンストリームフルフィルメントを供給するよう用いることが可能である。デジタル修正は、フルフィルメントの為にオペレータの介入を要求することができる。例えば、特定の画像を含むメタデータは、オペレータに、宣伝アイテムに特定の最終画像を供給することを要求することができる。
【００３０】
　図２は、図１の方法による、フィルタリング処理されないカラー画像の処理段階を説明する。潜像１８ａと、それに対応する可視画像２６ａ及び電子画像３０ａは、フィルタ符号の検出可能な特徴を有さず、従って、最終的なデジタル処理画像３６は、デジタル処理後も修正されないままである。（図２では、「フィルタリング処理されないカラー」（ＵＮＦＩＬＴＥＲＥＤ　ＣＯＬＯＲ）により示す）。図３は、別のフィルタ１６及び対応する別の修正が用いられる方法の修正を示す。像が、捕捉され、潜像１８ｂから可視画像２６ｂに化学処理され、可視画像は走査されて電子画像３０ｂが得られる。この時点までは、各画像は、フィルタリング処理され、且つ、カラーがついたままである。（「フィルタリングされたカラー」（ＦＩＬＴＥＲＥＤ　ＣＯＬＯＲ）というテキストにより示す。）フィルタリング処理が検出されて、修正が適用される。カラー画像は、カラーは維持されるが、修正された最終画像３４ａは、擬似パノラマ形式に変更され、また、フィルタリング処理の検出可能な特徴は除去される。（「フィルタリング処理のないカラーパン形式」（ＵＮＦＩＬＴＥＲＥＤ　ＣＯＬＯＲ　ＰＡＮ　ＦＯＲＭＡＴ）というテキストにより示す）。実用的な制限内において、フィルタリング処理の検出可能な特徴を除去することにより、最終画像をフィルタリング処理されていない状態に戻す。
【００３１】
　写真仕上げユニット３８は、フィルムストリップ４０の連続フィルムフレームに記録されるアーカイバル像から、プリント又は他の最終画像を形成する。本願の写真仕上げユニット３８は、化学プロセッサ２４とデジタルフルフィルメントエンジン２３の両方を含むデジタルプリンタとして、一般的に説明する。デジタルプリンタの特徴は、一般的に知られているので、以下の説明は、開示する実施例の一部を形成する要素及び開示される実施例に直接関連のある要素のみに特に関する。しかし、他の要素は、当業者には周知である様々な形式を取り得ることを理解するのもとする。最終画像は、例えば、コンパクトディスクといった格納媒体上のデジタル画像、又は、ネットワーク介してコンピュータメモリユニットに伝送されるデジタル画像といった他の形式も取り得る。デジタルフルフィルメントエンジン２３は、そのような最終画像を電子画像から生成する装置を含む。デジタルフルフィルメントエンジン２３は、１９９８年６月１６日に発行された米国特許第５，７６７，９４５号に開示されるデジタルプリンタの一部であることが可能である。
【００３２】
　図４は、フィルタ符号を有する処理フィルムストリップの連続フィルムフレーム内の記録像の各プリントを作成するために用いられる化学プロセッサ２４及びデジタルフルフィルメントエンジン２３を有する写真仕上げユニット３８を概略的に示す。フィルムユニット１４は、写真仕上げユニット３８に到達する前は、分類されていない。フィルムユニット１４は、使い捨てカメラから取ってこられる。２つのカメラ１２は、フィルタ符号化を供給する。１つのカメラ１２ａは、人間が読取り可能な記号表示４２：「ＢＷ／Ｃ」（白黒／カラーを示す）を有する。別のカメラ１２ｂは、記号表示４２：「Ｔ／Ｐ」（望遠写真／擬似パノラマを示す）を有する。第３のカメラ１３は、フィルタ符号化を供給せず、従って、記号表示を有さない。カメラ１２ａ及び１２ｂからのフィルムユニット１４は、それぞれ、標識２２（図４には、「Ｘ」により表す）が付けられる。
【００３３】
　図８では、使い捨てカメラ１２は、機械読取り可能なバーコード４４と共に、人間が読取り可能な記号表示４２、即ち、「ＢＷ／Ｃ」が付けられる。カメラ内のフィルムカートリッジ（図８に示す）は、同じ記号表示とバーコードを繰り返すことができる。記号表示は、フィルタ符号化することのできるデジタル修正のタイプを、ユーザに伝える。バーコードは同じ情報を有することができる。フィルムユニット上の標識の有無も、バーコードによって伝えられることが可能である。
【００３４】
　標識２２を有する代替として、フィルムユニット１４は、写真仕上げユニット３８に到達する前に予め分類されることが可能である。この場合、写真仕上げユニット３８に到達する全てのフィルムユニット１４は、フィルタ符号を有するものとして仮定される。このことは、各フィルムユニット１４上の標識２２の存在に対応する、１つ以上の人間が読取り可能な記号表示４２を用いる手動分類によって達成できる。例えば、手動分類は、記号表示４２があることに基づいて、カメラ１２ａ及び１２ｂは標識２２を有するものとして分類することができ、且つ、カメラ１３を記号表示４２及び標識２２がないものとして分類することができる。自動分類は、機械読取り可能記号表示４２又は標識２２と、検出器と、標識の有無に応じて異なるルートに分類する制御装置（図示せず）とを有する分類機器とを用いて、同様に行うことができる。
【００３５】
　様々な標識２２を設けて、様々なデジタルフルフィルメントエンジン２３で利用可能となるデジタル修正を区別することができる。この場合、分類は、特定のデジタルフルフィルメントエンジン２３で利用可能である修正のリスト（図示せず）に依存する。手動分類では、このリストは、紙に印刷される表といったように単純で有り得、この表に対し、フィルムユニット１４の外部にある標識２２が確認される。自動分類では、標識が検出され、ローカル又はリモートメモリ等の中にあるルックアップテーブルの形式を取り得るリストと比較される。標識のない、又は、リストにない標識を有するフィルムユニット１４は、他のパラメータに基づいて従来の処理、又は、他の代替の処理が施されるべく分類される。
【００３６】
　フィルムユニット１４は、フィルタ符号化を有するフィルムユニット１４のエントリを制限することによって、標識２２の分類又は検出なく処理されることも可能である。例えば、特殊処理を必要とする一意のフィルムタイプを用いることが可能である。或いは、従来のフィルムユニット及びフィルタエンコードされたフィルムユニットは、全てがフィルタ符号化されているかのように一緒に処理されることも可能である。この取組み方法は、従来のフィルムユニットのためにデジタル処理時間を増加するという不必要な負担を有し、また、フィルタ符号化に用いられるフィルタ効果と同様のフィルタ効果を有する従来のフィルムユニット１４の不適切な処理を修正するために行われる任意の措置という追加の負担を有する。
【００３７】
　図４を再び参照するに、特定のデジタルフルフィルメントエンジン２３は、フィルム供給リール４６から、デジタルスキャナ４８を介して、フィルム巻取りリール５０へフィルムストリップを前進させる電動フィルムドライブ（図示せず）を含む。この場合、多数のフィルムユニットからのフィルムストリップ４０は、フィルム供給リール４６上に連続的なウェブ状に互いに結合される。一部のフィルムストリップ４０はフィルタ符号化され、一部のフィルムストリップ４０はフィルム符号化されていない。各フィルタ符号化されたフィルムストリップ４０は、１つ以上の標識２２（図示せず）を有する。バーコードリーダといったデータ読取り器２０（図１参照）は、標識２２を読出しするよう位置付けられる。データ読取り器２０は、検出した標識２２を制御ユニット５６に信号で伝える。スキャナ４８は、フィルムフレームが一時的にフレームゲート６０に位置付けられると、各フィルムフレームに光を当てる投写光源５８と、電荷結合素子（ＣＣＤ）といった走査画像センサ６４上にアーカイバル像の光が投写された像をフォーカスされるフォーカスレンズ６２を有する。画像センサ６４から得られる結果としてのアナログ電子画像は、必要に応じて、アナログからデジタルに変換する（「Ａ／Ｄ」）変換器６６によってデジタル形式に変換され、且つ、増幅されて、制御ユニット５６に送られる。スキャナ４８とＡ／Ｄ変換器６６は、本願では、好適な場合には、集合的に、「デジタイザ」と称し、その構成要素により与えられる手順は、「デジタル化」と称する。「デジタイザ」及び「デジタル化」という用語は、同様の機能を与える他の機器も含むものである。例えば、デジタイザは、キオスクの構成要素の一部から構成され得る。
【００３８】
　制御ユニット５６は、メモリ６７内においてローカル又はリモートに格納されるルックアップテーブル等を用いて、符号化フィルタ１６の所定のリストの効果を検出するために画像を処理する、プログラム可能なコンピュータ等である。ルックアップテーブルは、各フィルタ効果に関連付けられるデジタル修正も格納する。フィルタ効果が画像中に検出されると、関連付けられる修正に対する相関が行われ、再現的なデジタル画像は、修正画像を生成するよう修正される。修正画像は、例えば、ハードコピープリントメーカ、又は、最終画像を供給する他の機器といった出力システム６８に出力される。
【００３９】
　デジタル画像中のカラーキャスト及び他のフィルタ効果を検出する周知の手順は、符号化フィルタ１６によって生成されるカラーキャストを検出するのに適している。そのような手順の単純な例を、図１に、実線及び破線の両方で示す。フィルムストリップ４０は、走査され、デジタル化され、且つ、全ての画像に対し、特定の写真仕上げユニット３８に用いられる標準デジタル処理が施される。例えば、このことには、用いられる特定のスキャナ４８に対する色の補正を含み得る。画像は次に、ディスプレイ上に１つずつ表示される（６９）。オペレータが画像を点検して、画像が所定のフィルタ効果の組のうちの１つのフィルタ効果があったらそれを検出する。オペレータは、次に、制御ボタン等を用いてその特定のフィルタ効果に割当てられるデジタル修正を作動させる（７１）。この取組み方法は、比較的単純で且つ柔軟であるという利点を有するが、比較的低速で、且つ、オペレータによるエラーが発生し易い欠点を有する。
【００４０】
　自動取組み方法は、図１の実線部によって示す。この手順は、以下に説明するアルゴリズムを提供するソフトウェアによりプログラムされる制御ユニットの中央処理ユニット内で実行される。中央処理ユニットは、上述したように、走査され、デジタル化され、且つ、標準処理が施されるデジタル画像に作用する。
【００４１】
　このソフトウェアは、任意のコンピュータ可読記憶媒体に供給されることが可能である。このようなコンピュータ可読記憶媒体は、例えば、磁気ディスク（例えば、フロッピー（登録商標）ディスク）又は磁気テープといった磁気記憶媒体、光ディスク、光テープ、又は、機械読取り可能バーコードといった光記憶媒体、読取り専用メモリ（ＲＯＭ）又はランダムアクセスメモリ（ＲＡＭ）といった半導体電子記憶素子、或いは、コンピュータプログラムを格納するために用いられる任意の他の物理的素子又は媒体を含む。
【００４２】
　制御ユニットは、汎用コンピュータシステムの一部であっても、又は、写真仕上げ機器の特殊用途部であってもよい。後者の場合、中央処理ユニットは、時として、イメージデータマネジャ（ＩＤＭ）と称される制御システムの一部であり得る。コンピュータシステム又はＩＤＭは、メモリを含み、更に、オペレータによる監督及び介入を可能にするディスプレイ及びユーザ制御部を含むことが可能である。
【００４３】
　カラー符号化フィルタ１６の使用を検出する方法は、その符号化フィルタ１６の色位置特徴と、昼光照明で、且つ、選択される符号化フィルタ１６を用いることなく撮影される、色的に中性の被写体の色位置のアプリオリ知識に依存する。２つの色位置、即ち、最も明るい色位置及び平均の色位置は、分析されるデジタル画像の画素から直接的に計算される。２つの計算される色位置は、個々に、２つのアプリオリ色位置と比較される。特に、クロミナンス空間におけるユークリッド距離は、シーンを撮るために選択される符号化フィルタが用いられた可能性を判断するための性能指数（ｆｉｇｕｒｅ　ｏｆ　ｍｅｒｉｔ）として計算される。そのシーンから、デジタル画像が得られる。従って、本発明の重要な面は、画像画素情報に基づく予測色位置の計算と、特定の符号化フィルタ１６のアプリオリ色位置に対する計算された予測色位置の距離量と、特定の符号化フィルタ１６が画像画素情報を生成するために用いられた可能性を示すためにその距離量を用いることである。
【００４４】
　フィルムストリップ上に記録されるオリジナルの潜像から得られるデジタル画像のセットにおける各デジタル画像は、選択される符号化フィルタ１６が対応するオリジナルの画像を記録するために用いられたか否かを判断するために分析される。選択される符号化フィルタ１６をカメラ１２のアーカイバル媒体の前に置くことは、写真フィルム上に形成される結果としての画像全体にカラーキャストを起させる効果を有する。従って、対応するデジタル画像も、全体的なカラーキャストという特徴を有する。つまり、デジタル画像の全ての画素は、同様に影響を受けていることになる。
【００４５】
　一般的に、デジタル画像の画像画素データは、赤、緑、及び青の表現で受け取られる。デジタル画像の全体的なカラーキャストは、赤、緑、及び、青の表現での画像画素データを分析することにより直接検出することができるが、本発明の手順は、検出処理を容易にするために、画像画素データを輝度−クロミナンス表現（ＬＣＣ）に変換する。変数Ｒｉｊ、Ｇｉｊ、及び、Ｂｉｊは、ｉ番目の行及びｊ番目の列に位置付けられる赤、緑、及び、青のデジタル画像に対応する画素値を示すとする。変数Ｌｉｊ、ＧＭｉｊ、及び、ＩＬＬｉｊは、それぞれ、輝度−クロミナンス表現デジタル画像の、変換された輝度画素値、第１のクロミナンス画素値、及び、第２のクロミナンス画素値を示すとする。行列変換の３×３の成分は、式（１）によって表す。
Ｌｉｊ＝０．３３３Ｒｉｊ＋０．３３３Ｇｉｊ＋０．３３３Ｂｉｊ
ＧＭｉｊ＝−０．２５Ｒｉｊ＋０．５０Ｇｉｊ−０．２５Ｂｉｊ
ＩＬＬｉｊ＝−０．５０Ｒｉｊ＋０．５０Ｂｉｊ　　　　　　　　　　　　　　（１）
当業者は、輝度／クロミナンス行列変換における係数に用いられる正確な値を変えても、依然として略同様の効果が得られることを認識するであろう。代替も、式（２）により示すように用いることが可能である。
Ｌｉｊ＝０．３７５Ｒｉｊ＋０．５００Ｇｉｊ＋０．１２５Ｂｉｊ
ＧＭｉｊ＝−０．２５０Ｒｉｊ＋０．５００Ｇｉｊ−０．２５０Ｂｉｊ
ＩＬＬｉｊ＝−０．５００Ｒｉｊ＋０．５０Ｂｉｊ　　　　　　　　　　　　　　（２）
２つのクロミナンス画素値ＧＭｉｊ及びＩＬＬｉｊは、ｉｊ番目の画素の色位置座標を表す。
【００４６】
　撮影される多くの自然のシーンは、様々な色を示すが、照明源の色によって決定される中心の色位置の周りで変化するクロミナンス画素値の分布を有する。図３４を参照するに、クロミナンス空間の例示的なグラフを示すが、この空間は、例えば、昼光照明で撮影されるグレーカードといった色的に中性の被写体の色位置に対応する点１７１によって２つの軸の中心を有する。輪郭線１７２により示される領域は、昼光照明で撮影された典型的なデジタル画像に対するクロミナンス輝度値の範囲を示す。クロミナンス画素値の数値的な平均又は中心は、点１７３により示す。即ち、平均色位置である。図３４のグラフから分かるように、平均色位置は、クロミナンス画素値の範囲内にあり、且つ、点１７１により示される昼光照明で撮影された色的に中性の被写体の色位置に近い。図３４は更に、最も明るい色位置、即ち、最も高い又は最も明るい対応する輝度値を有する画素の色位置を示す点１７４を示す。一般的に、最も明るい色位置は、照明源の色の良好な指示である。対応して高い反射係数を有する撮影された素材は、結果として、明るい輝度画素値を有する。このような素材は、しばしば、例えば、白いシャツ、白い紙といった色的に中性の素材であり、従って、照明源の色を示す。
【００４７】
　同じシーンが、選択される符号化フィルタが定位置に置かれて撮影されると、結果として得られるクロミナンス画素値は、クロミナンス空間にシフトされる。図３５は、そのような例についてのシフトされたクロミナンス画素値の例示的なグラフである。昼光照明で撮影された色的に中性の被写体と選択される符号化フィルタ１６の色位置は、点１８１により示し、また、クロミナンス空間において、カラーフィルタ色位置と称する選択される符号化フィルタ１６の特徴である位置にシフトされる。輪郭線１８２によって示す領域は、選択される符号化フィルタ１６の特徴によって、クロミナンス空間にてシフトされるクロミナンス画素値の範囲を示す。点１８３によって示す平均色位置も、選択される符号化フィルタ１６の特徴色に応じてクロミナンスでシフトされる。同様に、最も明るい色位置も、クロミナンス空間にてシフトされる（点１８４により示す）。
【００４８】
　当業者は、平均色位置と最も明るい色位置は共に、選択される符号化フィルタ１６の使用を示すことができることを認識するであろう。つまり、平均色位置又は最も明るい色位置のいずれかが、用いられる選択される符号化フィルタ１６の符号化フィルタ色位置特徴に近い色位置を示す場合、選択される符号化フィルタ１６が用いられたとみなすことができる。尚、本発明の手順は、様々な色のカラーフィルタと共に行うことが可能である。何故なら、選択される符号化フィルタ１６の使用の検出は、アプリオリに知られ、且つ、昼光照明源で照明されるシーンに対し予期される色位置（図３５において点１８５によって示される昼光色位置）とは異なる色位置特徴に基づいているからである。
【００４９】
　平均色値（ＧＭａｖｅ，ＩＬＬａｖｅ）は、式（３）を用いて計算する。
ＧＭａｖｅ＝（１／Ｎ）ΣｉｊＧＭｉｊ
ＩＬＬａｖｅ＝（１／Ｎ）ΣｉｊＩＬＬｉｊ　　　　　　　　　　　　　　　（３）
ここで、変数Ｎは、デジタル画像における画素数を表す。最も明るい色位置（ＧＭｂｒ，ＩＬＬｂｒ）は、輝度画素値の累積ヒストグラムを最初に計算することにより計算される。累積ヒストグラムは、最も明るい画素を特定するために用いられる。画素の最も明るい１０％を占める対応する輝度画素値を有する画素のみが、式（４）に示すように、最も明るい色位置の計算に用いられる。
ＧＭｂｒ＝（１／Ｍ）ΣｉｊＧＭｉｊｗｉｊ
ＩＬＬｂｒ＝（１／Ｍ）ΣｉｊＩＬＬｉｊｗｉｊ　　　　　　　　　　　（４）
ここで、変数Ｍは、画素の総数の１０％に対応する画素数であり、変数ｗｉｊは、画素の最も明るい１０％に分類される、対応する輝度画素値を有する画素に対する１．０の重み付け係数を、また、他の全ての画素に対する、０．０の重み付け係数を表す。
【００５０】
　図３６は、選択される符号化フィルタ１６を用いるときに対応する計算される値の色位置を示す。それぞれ点１９３及び１９４により示される平均色位置及び最も明るい色位置は、選択される符号化フィルタ１６の使用を予測するために用いられる。点１９１は、カラーフィルタの色位置を示す。まず、カラーフィルタ１６の色位置及び昼光色位置に対する距離変数が、平均色位置及び最も明るい色位置の両方について計算される。平均色位置（ＧＭａｖｅ，ＩＬＬａｖｅ）から昼光色位置（ＧＭｄａｙ，ＩＬＬｄａｙ）までの距離（Ｄａｖｅ−ｄａｙ）は、式（５）により与えられる。
【００５１】
【数１】
2004140829.tif 000003
平均色位置（ＧＭａｖｅ，ＩＬＬａｖｅ）からカラーフィルタ色位置（ＧＭｃｆ，ＩＬＬｃｆ）までの距離（Ｄａｖｅ−ｃｆ）は、式（６）により与えられる。
【００５２】
【数２】
2004140829.tif 000004
同様に、最も明るい色位置（ＧＭｂｒ，ＩＬＬｂｒ）から昼光色位置（ＧＭｄａｙ，ＩＬＬｄａｙ）までの距離（Ｄｂｒ−ｄａｙ）は、式（７）により与えられる。
【００５３】
【数３】
2004140829.tif 000005
最も明るい色位置（ＧＭｂｒ，ＩＬＬｂｒ）からカラーフィルタ色位置（ＧＭｃｆ，ＩＬＬｃｆ）までの距離（Ｄｂｒ−ｃｆ）は、式（８）により与えられる。
【００５４】
【数４】
2004140829.tif 000006
　平均色位置からカラーフィルタ色位置までの距離（Ｄａｖｅ−ｃｆ）が、平均色位置から昼光色位置までの距離（Ｄａｖｅ−ｄａｙ）より小さい場合、選択される符号化フィルタ１６が用いられている可能性は高い。同様に、最も明るい色位置からカラーフィルタ色位置までの距離（Ｄｂｒ−ｃｆ）が、最も明るい色位置から昼光色位置までの距離（Ｄｂｒ−ｄａｙ）より小さい場合も、選択される符号化フィルタ１６が用いられている可能性は高くなる。Ｄｂｒ−ｃｆ＜Ｄｂｒ−ｄａｙ及びＤａｖｅ−ｃｆ＜Ｄａｖｅ−ｄａｙの場合、選択される符号化フィルタ１６が用いられている可能性は更に高くなる。図３６には更には、クロミナンス空間を２つのドメインに分割する線１９６が示される。平均色位置及び最も明るい色位置が、昼光色位置（点１９５として示す）を含むドメイン内にある場合、選択される符号化フィルタ１６が用いられた可能性はないという判断がされる。反対に、平均色位置及び最も明るい色位置が、フィルタ色位置（点１９１として示す）を含むドメイン内にある場合、選択される符号化フィルタ１６が用いられた可能性があるという判断がされる。
【００５５】
　上述の議論は、例えば、Ｄａｖｅ−ｃｆとＤａｖｅ−ｄａｙといったように、計算された距離変数間を直接的に比較しているが、比例配分された比較を用いることも可能である。例えば、選択された符号化フィルタ１６が用いられている可能性は、式Ｄａｖｅ−ｃｆ＜１．５Ｄａｖｅ−ｄａｙを用いて計算することができる。倍数因子は、符号化フィルタ１６の使用の検出を最適化するために用いることが可能である。符号化フィルタを用いて又は用いないで捕捉される画像のデータベースが収集される。上述した検出方法は、捕捉画像から得られるデジタル画像に適用される。符号化フィルタの使用に関する現実のデータは既知であるので、倍数因子は、正しくなく示された検出に対する正しく示された検出の数を最適化するよう調節することが可能である。
【００５６】
　別の手順として、選択される符号化フィルタ１６の使用を示すために、平均色位置を、最も明るい色位置無しで、用いることが可能である。最も明るいクロミナンス位置も、平均色位置を用いることなく、用いることが可能である。選択される符号化フィルタ１６の特徴カラーが飽和するほど、検出結果は良好となることが予期される。
【００５７】
　予測クロミナンス変数は、その予測クロミナンス変数が、輝度−クロミナンス表現において基準クロミナンス変数の所定の数値範囲内にあるときに、基準クロミナンス変数に一致すると言える。カラーフィルタ色位置（ＧＭｃｆ，ＩＬＬｃｆ）は、基準クロミナンス変数の一例である。平均色位置（ＧＭａｖｅ，ＩＬＬａｖｅ）、及び、最も明るい色位置（ＧＭｂｒ，ＩＬＬｂｒ）は、予測クロミナンス変数の例である。この範囲は、システムにおける不正確さ、カメラに用いられる符号化フィルタと基準値間の差、及び、フィルム及びフィルム処理における差の関数である。より小さい範囲は、エラーが少なくなるかも知れないが、費用が高くなる可能性がある。特定の実施例に対し好適な範囲は、試行錯誤によって容易に決定することができる。
【００５８】
　尚、予測クロミナンス変数の計算は、赤−緑−青表現の画像画素データでも行うことができる。例えば、デジタル画像における画素の各色は、量Ｒａｖｅ、Ｇａｖｅ、及びＢａｖｅを生成するよう平均化することができる。同様に、カラーフィルタ色位置は、等価量Ｒｃｆ、Ｇｃｆ、及びＢｃｆで決定することができる。量Ｒａｖｅ、Ｇａｖｅ、及びＢａｖｅは、次に、量ＧＭａｖｅ、ＩＬＬａｖｅを計算するのに用いることができ、量Ｒｃｆ、Ｇｃｆ、及びＢｃｆは、量ＧＭｃｆ、ＩＬＬｃｆを計算するのに用いることができる。
【００５９】
　別の手順では、各画素は、個々に試験される。この取組み方法は、例えば、色といった全体の画像変数を考慮に入れることにより発生するエラーを回避する利点を有する。全体的な画像変数によって、符号化フィルタ１６の使用又は非使用を区別することも目的とする任意のアルゴリズムは、大部分がフィルタの色であるシーンの写真は、実際にはフィルタリング処理がなされていないのに、フィルタに通されたと誤って判断される場合がある。、又は、フィルタ１６の補色がほとんどであるシーンの写真は、実際にはフィルタが置かれているのに、フィルタがないものとして誤って判断される場合がある。各画素を、個々に試験することにより、このような種類のエラーは回避することができる。
【００６０】
　フィルタ１６が定位置に置かれてシーンが捕捉される場合、システムの雑音のみが、個々の画素をフィルタの補色に近づかせる。各画素を試験することにより、アルゴリズムは、その画素の、カラーキャスト用の基準位置に対する色位置が所定の閾値を越える各インスタンスを計数することができる。閾値は、フィルタの不規則性、処理時の雑音等を考慮する。好適な値は、簡単な試行錯誤により決定することができる。
【００６１】
　差の基準に等しい、又は、差の基準を超える画素数は、写真は、フィルタ１６が定位置に置かれて撮られたものではないことを示す。差の基準は、デジタル画像における画素の総数の２５％以下というエラーに対する大きなマージン、又は、画素の総数の１０％以下という小さいマージンを有する非常に小さい数の画素で有り得る。実際には、好適には、デジタル画像全体の分布（ランダム又はグリッドパターン）における画素のサンプルが、基準色位置と比較される。サンプルが基準色位置に一致すると、つまり、サンプルが差の基準に一致するとき、画像は、特定のカラーキャストフィルタ効果を有すると考えられる。
【００６２】
　サンプルは、その画素数において、適用可能な差の基準と等しい、又は、適用可能な差の基準より大きい。サンプルにおける画素の数及び場所は、予め設定され、且つ、各分析において不変でも、活発に変更してもよい。後者の場合、各画素又はサンプルは、連続的に比較され、また、適用可能な差の基準が一致すると、分析は停止される。
【００６３】
　画素は、画像の制限された領域から取ってくることが可能である。このことは、フィルタリング処理が画像の一部に制限される、一部の実施例（以下に説明する）では必要とされる。分析される領域を制限することは、領域が小さくなるに従い、カラー異常を有するシーンの内容が誤った結果を引き起こすおそれを高くしてしまう。
【００６４】
　サンプルのサイズは、様々な基準となる。基準色位置は、カラーキャストの理論上の値と実際に生成される実際のカラーキャストとの差を考慮して補正されることが好適である。基準色位置における補正は、フィルム感光度計、フィルム処理化学効果、スキャナ不正確等によってもたらされる色変化を考慮する。
【００６５】
　基準色位置は、別個の赤基準値、緑基準値、及び、青基準値、即ち、（ＲＧＢ）基準値の形式で予め決定することが可能である。この場合、デジタル画像の未処理のＲＧＢ画素値は、個々に、対応するＲＧＢ基準値に相関させることができる。ＲＧＢ画素値は、最初の電子画像のアナログからデジタルへの変換によって直接供給されることが可能である。相関付けは、検出アルゴリズムを最適化するよう１つの手順によって行われることが可能である。その場合、サンプルの各画素に対する未処理のＲＧＢ値は、ルックアップテーブル（ＬＵＴ）内の制限と比較される。ＬＵＴ内の値は、フィルタリングによる予期制限と、フィルタリングされていないシステムに対し中性のグレーバランスを達成するために必要とされる因子を含む。つまり、計算効率のために、値は、公知のフィルム感光度計、フィルム感光度計上のフィルム処理化学効果、及び、スキャナ較正等に対する補正を含む。
【００６６】
　この取組み方法は、１つの符号化フィルタの使用に関して説明された。同じ取組み方法は、所定のカラー符号化フィルタのセットの使用にも適用可能である。その場合、所定の色位置は、符号化フィルタが用いられたか否か及びどの符号化フィルタが用いられたかを明らかにするために、セットのフィルタに対し予め決められる基準色位置にマッピングされる。
【００６７】
　別の代替の手順は、非常に飽和されたイエロー、シアン、又は、マゼンタフィルタ１６に露出されるフィルタ符号化される画像に適している。用いられるフィルタ１６は、フィルタ１６を、カメラ１２の「カラーチャネル」の１つのスペクトル特性に適合させるよう選択される。本願で用いる「カラーチャネル」という用語は、像の一部の捕捉を、様々な色からなる小さなセットのうちの１つの色に制限するカメラの一部を示す。写真フィルムでは、異なる色は、一般的に、異なる成分によって及び／又は異なる層において捕捉される。デジタルカメラでは、異なる色は、異なる層によって、又は、異なるフィルタを用いることによって同様の方法で捕捉される。通常は、画素化された、３色フィルタを、適合する画素化されたイメージャに用いる。その場合、各カラーチャネルは、フィルタ画素の単色サブセットを有する。
【００６８】
　非常に飽和されたフィルタ１６は、捕捉画像のカラーレコード内のデジタル原色を遮断するか、又は、非常に減少させる。例えば、非常に飽和されるイエロ−、シアン、又は、マゼンタフィルタ１６は、写真フィルムの補完的な青、赤、又は緑成分／色層の露出を遮断するか、又は、非常に減少させる。同様に、非常に飽和されるイエロー、シアン、マゼンタフィルタ１６は、デジタルカメラ１２の各イエロー、シアン、又はマゼンタフィルタ１６画素を介する露出を遮るか、又は、非常に減少させる。デジタル画像におけるフィルタリング処理の検出は、原色値の単純な比較である。例えば、シーン色値は、合計して、互いに比較することが可能である。この場合、クロミナンス空間における分析は必要とされない。デジタル原色のないカラーレコードは、自然に発生するシーンを表現しそうにもなく、従って、特定の色のフィルタ１６の計画的な使用を示すものと推定される。
【００６９】
　或いは、デジタル画像の画像画素データは、変更されないままにされ、デジタル画像に後で適用される所望のデジタル画像処理効果の指示は、画素データを格納する電子ファイルの一部としてメタデータとして符号化されることも可能である。所望のデジタル画像処理効果を示すメタデータは、次に、後から読出しされることが可能であり、そして、所望のデジタル画像処理効果を有する高められたデジタル画像を、選択的に生成することができる。
【００７０】
　尚、符号化フィルタの色位置の選択は、重要であり、というのは、上述した自動手段が、符号化フィルタ無しで撮影された自然シーンを、符号化フィルタを用いて撮影されたものとして誤って特定する可能性があるからである。例えば、特定の色が支配的である任意の自然なシーンは、混同されることが可能である。イエローの符号化フィルタを用いて撮影される青が支配的なシーンは、平均的に、色中性位置に近い画像画素データを生成するであろう。同様の議論を、符号化フィルタの任意の他の選択される色位置に対しても行うことができ、というのは、どんなに起こりそうでなくても、任意の色位置によって自然シーンが支配されることは可能だからである。符号化フィルタに対し非常に色飽和される色位置を選択することは、符号化フィルタを用いて撮影された自然シーンが、符号化フィルタ無しで撮影される自然シーンと混同され得る可能性を最小限にする。
【００７１】
　上述の説明は、デジタル画像の全体のカラーキャストを決定することに関連するが、同じ取組み方法を、デジタル画像の一部のカラーキャストを決定するのに用いることが可能である。以下により詳細に説明するように、符号化フィルタは、デジタル画像の所定の領域に局所化することが可能である。所定の領域に局所化される符号化フィルタの使用を検出するには、符号化フィルタが用いられたか否かを判断するために、２つの色位置を計算しなければならない。第１の色位置は、所定の領域に関連付けられる画素のみを用いて上述した方法を用いて計算する。従って、選択される符号化フィルタが所定の領域に対し用いられたか否かに関する判断がなされる。第２の色位置は、１つ以上の符号化フィルタに関連付けられる所定の領域と重なる任意の画素を含まない、デジタル画像の中心にある画素の中心領域を用いて計算される。第２の色位置は、画素の中心領域のカラーキャストが、選択される符号化フィルタを用いたときに予期されるカラーキャストに類似するカラーキャストを示すか否かを判断するために、第１の色位置と同様の方法で計算される。この実施例について、符号化フィルタは、中心領域のカラーキャストに影響を与えることができないので、第２の色位置は、符号化フィルタの特性色位置を示すべきではない。つまり、画素の中心領域から計算される第２の色位置は、符号化フィルタは用いられなかったことを示すべきであり、即ち、第２の色位置は、符号化フィルタとは一致しないことを示すべきである。シーンを撮影するために符号化フィルタが用いられたという明白な判断は、１）画素の所定の領域のカラーキャストを生成するために符号化フィルタが用いられたことを示す第１の色位置と、２）画素の中心領域のカラーキャストが、符号化フィルタの使用とは一致しないことを示す第２の色位置との組合せによってなされる。
【００７２】
　本発明の方法に用いる特定のフィルタ１６は、ウォームフィルタ１６とモノクロ画像のように、最終画像に利点を与えるよう選択されることも可能である。この場合、フィルタリング処理の効果は保持される。多くの他の場合、フィルタリング処理の効果は、特定の修正に対し有益ではない。そのような状況の場合は、フィルタリング処理の効果は除去されることが可能であり、また、フィルタリング処理の効果の除去の容易さは、考慮すべき事柄である。
【００７３】
　図１において、捕捉像は、ウォームフィルタ１６、つまり、可視スペクトルの赤−黄の部分における光の透過に制限するフィルタ１６によってフィルタリング処理される。ウォームフィルタ１６の効果は、結果として得られるモノクロ画像において有益であると考えられるので、最終画像に保持される。カラー画像では、フィルタ１６のフィルタ効果は望ましくない。この場合、この効果はデジタル処理により除去することが可能である。特定のデジタル処理取組み方法によってもたらされる情報の任意の損失に加えて、フィルタリングの可視効果を除去することによって、フィルタリング処理によって以前に捕捉されなかった情報を復元することはできない。フィルタ１６、フィルム、及び修正は、フィルタリング処理の効果を許容可能にする、又は、むしろ望ましくするよう選択することが可能である。例えば、白黒画像を生成するためにウォームフィルタ１６をカラーフィルムと共に用いることの効果は、一般的に望ましい。その一方で、白黒フィルムが、中性濃度フィルタ１６の等価物と共に用いられる場合、画像情報の損失は、許容可能ではなくなる。同様に、非カラーフィルタ１６は、一部の利用において許容不可能な画像劣化をもたらし得る。画像のカラーレコードの一部を修正するためにカラーフィルタ１６を用いることは比較的制限されており、何故なら、カラーレコードの残りの部分は、利用可能なままであるからである。
【００７４】
　デジタル反転のためのフィルタ１６を、狭く決められる特性に制限することが好都合である。何故なら、デジタル修正において、明確にされる特性を有するフィルタ１６の効果を補償することの方が容易だからである。同様に、用いられるフィルタ１６は、画像情報の損失を最小にする、且つ／又は、情報損失を画像のあまり目立たない面にシフトするよう選択することができる。例えば、暗い中性濃度フィルタ１６は一般的に好ましくない。何故なら、グレースケール情報を含む情報の全体の損失は、デジタル補正後は高い可能性があるからである。その一方で、低から中程度の濃度のカラーフィルタ１６、特に、スペクトルの狭い部分のみを取り除くフィルタ１６は、ほとんどのグレースケール情報を保持する。カラー情報は損失されるが、例え不完全であっても、復元努力は、一般的な目的のための画像では、目立つ可能性は低い。グレースケールコンテンツよりもカラー再現の方が重要である場合、他の種類のフィルタ１６が適するであろう。特定の目的のためのフィルタ１６選択が直ぐに明らかでない場合、試行錯誤することにより、特定の目的に適したフィルタ１６がすぐに分かるであろう。
【００７５】
　符号化フィルタ１６は、カメラの光学系の永久部分又は一時的な部分として設けることが可能である。永久的なフィルタは、１回の使用のための使い捨てカメラには適するが、本発明は、そのようなカメラに制限されるものではない。各種のフィルタを使い捨てカメラ又は再使用可能なカメラ内に供給することが可能である。本願では、特徴は、一般的に、フィルムカメラ及び写真フィルムユニットに関連して説明する。デジタルカメラ及びデジタル格納媒体を、フィルムカメラ及びフィルムユニットの代わりに、或いは、追加して用いることが可能である。スキャナも、捕捉装置として用いることが可能である。このような場合、シェーディングは、捕捉時において光学的である。（例えば、符号化フィルタリング処理を供給するよう、カラートランスペアレンシをプリントの上に置くことができる。）結果として得られるデジタル画像は、フィルム画像から生成されるデジタル画像と同様に取り扱われる。光学フィルタリング処理の代わりにデジタルフィルタリング処理が可能である。しかし、現在では、デジタルフィルタリング処理は、デジタル及びフィルム画像のために同一の写真仕上げシステム及びデジタル修正を用いる一手段としてのみ望ましいと考えられている。
【００７６】
　モノクロデジタル画像を、式（１）及び（２）において上述した輝度信号Ｌｉｊを用いて、デジタル写真仕上げシステムの処理段階において、カラーデジタル画像から生成することができる。例えば、スターティングカラーデジタル画像は、まず、式（２）を用いて、輝度−クロミナンス表現に変換される。全体のカラーキャスト効果を生成する符号化フィルタの場合、全体のカラーキャストは、ＧＭ及びＩＬＬクロミナンス信号情報から対応するカラーキャストを引算することにより除去することができる。輝度信号は、白黒デジタル画像として、直ぐに用いることができる。しかし、符号化フィルタによりもたらされるカラーキャストが除去されると、今度は、エンハンスメントのための任意の他のカラーキャストがもたらされることが可能となる。例えば、光学的に赤のカラーフィルタの等価物は、符号カラーキャストが除去されたデジタル画像を、赤−緑−青表現に戻すよう変換することによって合成されることが可能である。次に、処理されたデジタル画像の赤の画素は、赤のカラーフィルタが有するであろう効果を合成するために、その数値を少なくすることが可能である。次に、最終的な白黒のデジタル画像は、式（１）又は（２）を用いて輝度信号を計算することにより生成することができる。更に、セピアのデジタル画像も、処理されたデジタル画像のクロミナンス値を、セピアカラーに対応する一定値に設定することによって、生成することが可能である。従って、符号化フィルタによってもたらされる画像データ上の効果は、符号化フィルタによりもたらされるカラーキャストは、画像捕捉状況を補正する又は補償することを意図しないという意味では、本質的には、補修的ではありえないことを理解することができるであろう。更に、この非補修的フィルタ効果は、記録された光の像から得られるデジタル画像において検出され、そして、デジタル修正が、様々なフィルタ効果が最終の処理デジタル画像にもたらされるようデジタル画像に対し行われる。従って、符号化フィルタによりもたらされるフィルタ効果は、デジタル画像処理によりもたらされるフィルタ効果とは独立している。更に、符号化フィルタの非補修的なフィルタ効果は、符号化フィルタによってもたらされるフィルタ効果が実質的に残らないよう得られたデジタル画像から除去することが可能である。従って、最終処理デジタル画像は、符号化フィルタのフィルタ効果無しで、光の像を記録した写真システムによって生成されたものであるかのように見えることが可能である。
【００７７】
　カラーフィルタリングは、本願では、一般的な感覚で説明する。即ち、光の像から色成分を減じることである。本願の目的のために、「フィルタリング」及び類似の用語は、シーン画像全体への加法色変更も含む。例えば、発光ダイオードといったカラー光源を、撮影レンズを通されるシーン画像に変調されていないカラー光線を加えるために、カメラ内に設けることが可能である。この特定の取組み方法（捕捉時に変調されていない光を追加すること）は、現在好まれてはいない。何故なら、その効果は、もやのようであり、シーンの情報コンテンツが劣化してしまう可能性があるからである。
【００７８】
　図５乃至８を参照するに、カメラ１２は、フィルムホルダ７０、フィルムホルダ７０と一直線にされる露光系７２、及び、露光系７２により画成される光学路に配置される符号化フィルタ１６を有する。フィルムユニット１４は、フィルムホルダ７０内に保持される。図５、６を参照するに、カメラ１２は、シェル７６とバフル付きフレーム７８を含む本体７４を有する。本体７４は、他の部品を構造的に支持する。シェル７６は、前部カバー８０と後部カバー８１を含む。カバー８０、８１は、互いに接合され、ラベル８２（図６に示す）がカバー８０、８１の上に接着される。バフル付きフレーム７８は、カバー８０、８１の間に配置される。バフル付きフレーム７８は、カメラフレーム８４とカメラフレーム８４に接合されるバフル８６を有する。
【００７９】
　露光系７２は、バフル付きフレーム７８に取り付けられるか、又は、バフル付きフレーム７８とカバー８０、８１の間で保持される。露光系７２は、撮影レンズ及びシャッタ組立体８８、フィルム運搬ユニット９０、キーパプレート９２、ビューファインダユニット９４、及び、フラッシュユニット９６を含む。露光系７２の特徴は、ここでは簡単に述べる。何故なら、当業者には、そのような部品は周知であるからである。
【００８０】
　撮影レンズ及びシャッタ組立体８８は、シャッタ９８、撮影レンズ１００、及び、支持部材１０２、１０４を含む。後部支持部材１０４は、シャッタ９８と、バフル付きフレーム７８の取り付け部１０８に接する１つ以上のシャッタ付勢バネ１０６を保持する。前部支持部材１０２は、撮影レンズ１００を後部支持部材１０４に対して保持する。フラッシュユニット９６は、シャッタ組立体８８に隣接し、画像捕捉時にシャッタ９８に接触するフラッシュ接触子１１０を有する。シャッタブレード９８は、導電性である。電池１１２がフラッシュユニット９６に接合して電力を供給する。
【００８１】
　フィルム運搬ユニット９０は、フィルムのパーフォレイションに係合するスプロケットホイール１１４、マルチプルピース計測−充電組立体１１６、及び、フィルム運搬ユニット９０に回転運動を与えるようユーザによって動作されるフィルムアドバンス１１８を含む。計測−充電組立体１１６により駆動されるカウンタホイール１２０も存在する。計測−充電組立体１１６は、計測及び高エネルギーレバー１１５、１１７、１つ以上の付勢バネ１２２、及び、スプロケットホイール１１４と係合し、スプロケットホイール１１４を動作させる回転式マルチプルレベルカムユニット１２４を含む。キーパプレート９２は、計測組立体１１６を介して、写真露光のためにシャッタ９８をレリーズする一体式シャッタレリーズ１２６を有する。ビューファインダユニット９４は、フレーム７８により画成されるトンネル１３１に嵌り込む一対の対向レンズ１２５、１２７を含む。
【００８２】
　バフル付きフレーム７８は、第１のフィルムチャンバ１２８及び第２のフィルムチャンバ１３０、及び、チャンバ１２８、１３０間の露光フレーム１３２を含む。フィルムカートリッジ１４のキャニスタ１３４が、第２のチャンバ１３０に収まり、一方、スプール１３６が、第１のチャンバ１２８に収まる。フィルムカートリッジ１４のフィルムストリップ４０の端は、キャニスタ１３４内のスプール１３６に取り付けられる（この取り付けは、図示しない）。露光が行われ、フィルムストリップ４０はキャニスタ１３４内に巻き取られる。フィルムストリップ４０によって形成されるフィルムロール（図示せず）は、露光が終了するまでスプール１３６によって担持され、そして、フィルムストリップ４０はその全体が及びほとんどがキャニスタ１３４内に収容される。
【００８３】
　符号化フィルタ１６は、前部カバー８０に形成される開口１３８の上において、前部カバー８０に取り付けられる。開口１３８は、撮影レンズ１００の光学軸１４０と一直線にされ、且つ、撮影レンズ１００に画成される光学路の一部であり、露光フレーム１３２に位置付けられるフィルムフレーム（図示せず）につながる。符号化フィルタ１６は、光学路のいずれの場所に設置することが可能である。図７は、別のカメラ１２を示し、ここでは、撮影レンズ１００は、一対のレンズ素子１４２、１４４を有する。シャッタは図示しないが、例えば、レンズ素子間に位置付けられることが可能である。符号化フィルタ１６は、前部カバー８０の凹部１４６における第１の位置にあることを実線で示す。フィルタ１６の数個の別の位置を、破線で示す。これらの別の位置では、フィルタ１６は、レンズ系１００の２つのレンズ素子１４２、１４４の間である、後部レンズ素子１４４の内側にある、及び、露光フレーム１３２のフィルム４０の直ぐ上でもよい。
【００８４】
　図８は、使い捨てカメラ１２の前部カバー８０が、レンズ系１００に隣接する一対のブラケット１４８を有する代替例を示す。矩形のフィルタホルダ１５０内のフィルタ１６は、レンズを覆う使用位置と、レンズ系１００により画成される光学路に対し間隔が置かれる収納位置（図８に示す）との間でブラケット１４８に沿って摺動可能（矢印１５２によって示すように）である。同様のスライディングフィルタ機構を、前部カバー８０の内部に設けることも可能である。他のフィルタ移動機構も用いることが可能であり、例えば、当業者には、内部及び外部のフィルタホイールが周知である。
【００８５】
　上述の議論は、均一なフィルタリング処理に関するものであった。符号化は、別の方法として、非均一シェーディング又はフィルタリング処理により供給することも可能である。「シェーディング」という用語は、本願では、フィルタリング及び完全な光遮断（本願では、「シャドーイング」とも称する）の両方を意味するものとして用いる。
【００８６】
　例えば、図９を参照するに、符号化フィルタは、パターンを有することが可能である。図９では、上部１６０は、１つの色でフィルタリング処理し、下部１６２は別の色でフィルタリング処理する。フィルタリング処理の効果は、デジタル処理で除去することが可能である。或いは、この効果は保持することができる。例えば、図９は、画像の一部をオレンジ（ＯＲＡＮＧＥ）でフィルタリング処理し、他の部分を赤（ＲＥＤ）でフィルタリング処理する。中性濃度が両方の部分において同じであり、且つ、関連付けられる修正が、カラー画像をモノクロ画像に変更することである場合、モノクロ画像への効果は、一部の使用では、あまり目立たない。
【００８７】
　符号化は、部分的なシェーディングによっても与えられることが可能である。部分シェーディングでは、シーンの捕捉画像の一部のみがシェーディングされる。部分シェーディングは、露光フレーム３１２の２対の縁１５６、１５８のうち一方又は両方に対し斜めにされる（スキューされる）。部分シェーディングは、捕捉画像の対応する及びそれぞれ隣接する縁に対し同じように斜めにされる。（理解し易くするために、以下において、露光フレーム１３２の縁１５６、１５８のみを参照する。）「斜めにする（スキューする）」という用語は、一般的な感覚で用いられ、縁１５６、１５８の両方の対に対し斜めである方向に画像をクリッピングするシェーディングと、縁１５６、１５８の対の一方の１つの部材を他方の部材よりもクリッピングするシェーディングと、その両方を行うシェーディングを意味する。
【００８８】
　部分シェーディング符号化では、符号化情報は、シェーディングされた領域の場所、シェーディングされる領域の形状、与えられるシェーディングの種類、及び、これらの特徴の組合せにより伝えられることが可能である。シェーディングの種類は、不透明の領域を有するシェーディングスクリーン１５４を用いて、シェーディングされる領域において完全であっても、又は、フィルタリングの領域を有するシェーディングスクリーン１５４を用いて、シェーディングされる領域において不完全であってもよい。シェーディング領域において、シャドーイングとフィルタリングを組合わせることが可能であり、また、フィルタリングを特定のフィルタリングパターンで与えることも可能である。
【００８９】
　図５‐８のカメラ１２は、符号化フィルタ１６をシェーディングスクリーン１５４により置き換えることによって、上述した均一なフィルタリング処理の代わりに斜めにされるシェーディング処理を供給するよう変更することが可能である。シェーディングスクリーン１５４は、露光フレームに対し、定位置に固定する、即ち、動かないようにすることが可能である。特定の実施例では、複数の異なるシェーディングスクリーン１５４を、交替して、露光フレーム１３２に対する位置に動かすことができる。他の実施例では、シェーディングスクリーン１５４は、シェーディングされる領域の場所、及び、一部の場合では、シェーディングされる領域の形状を変えるために、露光フレーム１３２に対し可動である。
【００９０】
　符号化パターン又はシェーディングパターンの複雑さは、検出のための現実的な制限内で、要望に応じて変えることが可能である。例えば、シェーディングされる領域は、のこぎり歯状のエッジを有することが可能である。シェーディングパターンは、特定のシステムの要件に見合うよう最適化することが可能である。例えば、一部の場合では、フィルム画像の垂直縁の少なくとも一部を保持し、それにより、フィルムフレームの長さは、常にフィルム画像の全長によって画成されることが望ましい場合がある。このことは、フィルムストリップの位置がずれ、走査が実際のフィルムフレームに対し位置がずれるおそれを少なくする。何故なら、位置決めは、フィルム画像／フィルムフレームの垂直縁を検出することにより、各フレームに対し明確に決めることができるからである。
【００９１】
　のこぎり歯状のエッジパターンは、テンプレートマッチング方法を用いてデジタル画像中にて検出することが可能である。このような方法は、画素テンプレート、即ち、予期されるのこぎり歯状のエッジパターンの寸法及び形状に似る画素値のバイナリアレンジメントを、のこぎり歯状のエッジパターンが位置付けられ得る画素領域（本願では、「サブ領域」とも称する）における画像画素データで畳み込む（ｃｏｎｖｏｌｖｅ）ことを含むことが可能である。畳み込み演算は、テンプレートの画素値を、デジタル画像の画素値で乗算することが関連する。この乗算された値は、次に、検出されるのこぎり歯状のエッジパターンの可能性を指示するよう用いることのできるテンプレート位置計量（ｍｅｔｒｉｃ）を与えるよう合計される。この畳み込み演算は、デジタル画像に対し異なる位置においてテンプレートを用いて行われる。従って、テンプレート位置計量が、テンプレートの複数の位置について計算される。テンプレート位置計量の値が高いと、のこぎり歯状のエッジパターンが画像画素データ内にある可能性が高いことを示す。複数のテンプレート位置計量値は、のこぎり歯状のエッジパターンの最も可能性のある位置を特定するよう分類されることが可能である。最も高いテンプレート位置計量値は、のこぎり歯状のエッジパターンの有無を判断するために、テンプレート位置計量値の閾値と比較することができる。
【００９２】
　符号化フィルタによって処理されるべきデジタル画像に与えられる他の空間パターンは、上述したテンプレートマッチング方法を用いて検出することができる。例えば、図２６に示し、且つ、以下により詳細に説明する符号実施例は、画像領域のコーナにシェーディングされる部分を生成する。このシェーディングされる部分は、符号化機構の位置に基づいた特性角度を有する。この場合、ストレートエッジテンプレートを、上述したテンプレートマッチング方法に用いることが可能である。ストレートエッジパターンの存在を判断するために、畳み込み演算は、ストレートエッジテンプレートパターンの異なる位置、及び、異なる向きに対し繰り返される。上述したように、ストレートエッジテンプレートパターンの向き及び位置が、シャドーイングされる領域の向き及び位置に一致すると、明白な判断をすることができる。
【００９３】
　上述したカラーキャスト検出手順も、画像の所定の領域におけるカラーキャストを検出するために用いることが可能である。様々なフィルタ効果検出手順を、画像の異なる領域に対し繰返し、また、異なる手順を組合わせて用いることが可能である。スキューシェーディングでは、識別子が、符号化フィルタリングに関連して上述したように用いられる。
【００９４】
　図１０を参照するに、非均一シェーディングスクリーン１５４は、シェーディングを、画像の小さい部分のみに制限することができる。シェーディングされる部分のサイズは、容易に検出することができるよう十分に大きい。シェーディングの効果は、最終画像を許容不可能なほどに劣化しないよう制限される。フィルタリング処理では、このことは、フィルタ効果又はフィルタ効果のデジタル反転による画像の劣化であろうと、結果を、最終画像においてあまり目立たなくすることができる。図１０では、画像の大部分である大きな部分１６４は、フィルタリング処理されていない。残りの部分は、２つの小さい領域１６６、１６８を有し、１つは赤（ＲＥＤ）でフィルタリング処理され、もう１つはオレンジ（ＯＲＡＮＧＥ）でフィルタリング処理される。
【００９５】
　スキューシェーディングを与えるカメラ１２は、上述したようなカメラ１２であり得る。特に、フィルムホルダ７０は、２対の対向縁１５６、１５８を有する矩形の露光フレーム１３２を有する。縁１５６、１５８は、露光開口１７０を取り囲む。撮影レンズ系１００は、露光開口１７０の中心を通り延在する光学軸１４０を有する。レンズ系１００は、シーンの光の像を、光路に沿って、露光開口１７０を通過して、露光フレーム１３２により保持されるフィルムフレームまで透過させる。露光開口１７０において、光の像は、露光フレーム１３２の２対の対向縁により縁付けされる。
【００９６】
　図１１−３１及び３６、３７を参照するに、一部のスキューシェーディングカメラ１２は、本体７４に取り付けられるガイド２０２を有する。ガイド２０２は、１つ以上のシェーディングスクリーン１５４を有するスクリーナ１５３を支持する。ガイド２０２は、複数の停止位置２０４を画成する。スクリーナ１５３は、停止位置間で段階的に移動するようガイド２０２に対し可動である。各停止位置において、異なるシェーディングパターンが、その時露光開口１７０の上に位置付けられるシェーディングスクリーン５１４によって露光開口において与えられる。スクリーナ１５３は、各停止位置２０４において光学軸１４０に対し異なるよう位置付けられる。位置的な違いは、回転、又は、並進、或いはその両方であることが可能である。スクリーナ１５３は、停止位置間の移動時にカメラ１２に取り付けられたままである。
【００９７】
　上述したフィルタ１６と同様に、シェーディングスクリーン１５４は、使用するために、光路に沿ってどこにでも位置付けることが可能である。例えば、図８のカメラ１２では、フィルタ１６は、１つのシェーディングスクリーン１５４を有するスクリーナ１５３と交換することが可能である。この場合、図８のカメラ１２のブラケット１４８は、ガイド２０２である。スクリーナ１５３及びガイド２０２の全体的な構成は、停止位置２０４の数、スクリーナ１５３の動作の方法、与えられるシャドーイングの構成によって決められる。
【００９８】
　図１１−１４を参照するに、カメラ１２を示すが、ここでは、剛性スクリーナ１５３は、支持構造体１５５と一体にされる複数のシェーディングスクリーン１５４を有する。１つのシェーディングスクリーン１５４ａは、矩形であり、且つ、露光開口の上部を横切って位置付けられる。第２のシェーディングスクリーン１５４ｂは、Ｌ字型であり、露光開口の上部及び１つの側部の上に延在する。第２のシェーディングスクリーンには、符号化フィルタ１６が続く。スクリーナ１５３は、停止位置２０４間で、露光フレーム１３２の長さ方向における並進で動かされる。フィルムストリップ４０はこれらの図面には示さないが、ガイド２０２に沿って露光フレーム１３２に持ってこられ、露光フレーム１３２を通過させられる。この取組み方法は、本願では、理解を容易にするために説明する。実際のカメラは、図１１−１４において明らかなように扱いにくい寸法を有するが、機能可能である。
【００９９】
　ガイド２０２は、一対の溝（図１１−１４にはボックスの形で示す）の形式を有する。その溝内をスクリーナ１５３が摺動する。タブ２０８ａの形であるスクリーンドライバ２０８が、スクリーナ１５３から上方向にカメラ１２の外側まで延在し、停止位置２０４から停止位置２０４にスクリーナ１５３を移動するようユーザによって動かされる。簡単なロックがタブ２０８ａに対し設けられる。例えば、タブ２０８ａは、クランク形状であり、スロット（図示せず）内を移動することができる。
【０１００】
　図１１に示すスクリーナの第１の位置では、シェーディングはない。図１２に示す第２の位置では、シェーディングスクリーンは、露光フレーム１３２の上部の長手方向の縁をシェーディングする。シェーディングされる領域の形状は矩形である。下部縁はシェーディングされないという点で、シェーディングはスキューされる。図１３に示す第３の位置では、非均一なシェーディングが、Ｌ字型領域により与えられる。
【０１０１】
　一部の場合において、シェーディングされる領域のサイズ及び形状は、特定の写真仕上げ修正に一致させて、それにより、シェーディングが最終画像には重要ではないようにすることが可能である。図１２の場合、例えば、擬似パノラマの最終画像に対する修正は、シェーディングされた領域は用いない。同様に、図１３では、特定の擬似ズーム（中心領域の拡大）が与えられ、これは、シェーディングされた領域の内側にあたる。
【０１０２】
　図１４に示す第４の位置では、フィルタリング処理が施される。このフィルタリング処理は、フィルタリング効果の存在が写真仕上げユニット３８によってどのように解釈されるかに依存して、フィルタ符号化として、または、芸術的な効果のために、用いることが可能である。一般的なスキューシェーディング及びフィルタ符号化と同様に、特定の符号化の効果は、特定の写真仕上げチャネルに対し予め決められている。
【０１０３】
　ビューファインダマスクユニット２０９は、スクリーナ１５３に接続され、且つ、スクリーナ１５３と共に移動する。マスクユニット２０９は、３つのビューファインダマスク２１１ａ、２１１ｂ、２１１ｃを有する。マスク２１１ａ、２１１ｂ、２１１ｃは、支持構造体２１３により互いに接続される。マスク２１１ａ、２１１ｂ、２１１ｃは、それぞれ、シェーディングスクリーン１５４ａ、１５４ｂ、及び、符号化フィルタ１６と一直線にされる。シェーディングスクリーン１５４ａ、１５４ｂは、ビューファインダ内で明示されることが可能であるデジタル修正と関連付けられる。各マスク２１１は、各シェーディングスクリーン１５４又は符号化フィルタ１６に関連付けられるデジタル効果をユーザに示す。
【０１０４】
　シェーディングスクリーン１５４ａは、擬似パノラマ修正に関連付けられる。シェーディングスクリーン１５４ｂは、擬似望遠修正に関連付けられる。各ビューファインダ２１１ａ、２１１ｂは、形成されるそれぞれの最終画像には現れないシーン画像の一部をフィルタリング処理する。マスク２１１ｃは、符号化フィルタリング（又は芸術的フィルタリング）の存在を、色を介してつたえる。マスク２１１ａ、２１１ｂは、フィルタリング部分ではなく不透明部を有することが可能である。ビューファインダマスクは、テキストメッセージ（図示せず）といった印のような他の方法によって、デジタル修正の性質を伝えることができる。
【０１０５】
　図１１−１４に示すカメラのより実用的な変更は、図１５−１７ｂに示す。この場合、スクリーナ１５３は、弾性ベルトであり、ガイド２０２は、一対の間隔が置かれるローラ２１０を有する。スクリーナ１５３は、図１１−１４のカメラと同一の構成のシェーディングスクリーン１５４ａ、１５４ｂ、及びフィルタ１６を含み、透明支持構造体１５５によって互いに接続される。ガイド２０２は、カメラ１２内において、露光フレーム１３２の直ぐ前方に位置付けられる。スクリーナ１５３は、露光フレーム１３２を横切って延在し、その両端がそれぞれのローラ２１０に取り付けられる。スクリーナ１５３は、１つのローラ２１０又は両方のローラ２１０に巻き付けられ、且つ、シェーディングスクリーン１５４及びフィルタを露光開口に被せるよう位置付けるよう停止位置２０４と停止位置２０４の間でスクリーナ１５３を動かすために、必要に応じて、２つのローラ２１０間で動かされる。
【０１０６】
　図１５及び１７ｂを参照するに、ビューファインダマスクユニット２０９も、第２の対の間隔が間に設けられるローラ２１５間で巻き付けられたり伸ばされたりする弾性ベルトである。（これらの特徴は、図１５中、破線で示す。）ビューファインダマスクユニット２０９は、支持構造体２１３により互いに接合される３つのマスク２１１ａ、２１１ｂ、２１１ｃを有する。マスク２１１は、上述したように、対応するシェーディングスクリーン１５４のデジタル修正を示す。各マスク２１１は、ビューファインダと一直線にされる（図１５中、ビューファインダトンネル１３１は、破線により示す）。
【０１０７】
　ビューファインダマスクユニット２０９及びスクリーナ１５３は、カメラ１２の本体７４の外側に露出するノブ２０８ｂの形のスクリーンドライバ２０８によって同時に動かされる。ノブ２０８ｂは、ギアトレイン２１６（図１５に示す；ノブからギアトレインに延在するシャフトは、図１６において破線の円形２１８により示す）によりローラ２１０、２１５に接続される。スクリーナ１５４の停止位置２０４から停止位置２０４への移動は、ノブ２０８ｂの４分の１回転を必要とするよう適合される。デテント２２０が、スクリーナ１５４を、各停止位置２０４に保持する。第１のスクリーナ位置では、露光開口は、透明支持構造体１５５のみにより覆われる。他の３つのスクリーナ位置では、シェーディングスクリーン１５４ａ、１５４ｂ、及び、フィルタ１６がそれぞれ、露光開口を覆うよう定位置に置かれる。第１のスクリーナ位置では、ビューファインダは覆われていない。他の３つのスクリーナ位置では、マスク２１１ａ、２１１ｂ、２１１ｃはそれぞれ、ビューファインダを覆うよう定位置に置かれる。
【０１０８】
　図１６に示すデテント２２０は、１つの端がカメラ本体７４に取り付けられるリーフスプリングである。デテントの凸部は、ノブ２０８ｂ上の一連の受容部２２２の１つと係合する。各受容部２２２は、スクリーナ１５３をそれぞれの停止位置２０４に位置付けるよう設けられる。対応するデジタル修正を特定する印２２４が、それぞれの受容部２２２に隣接する。
【０１０９】
　特定のデテント２２０は、図１６に示すように、特定の停止位置２０４においてスクリーナ１５３を保持する付勢部材か、又は、最初のインパルスに応答して停止位置２０４から停止位置２０４にスクリーナ１５３を駆動させるオーバセンタ機構でもあり得る。このような機構及び全ての形式の様々なデテント２２０は、当業者には周知である。デテント２２０の効果は、スクリーナが微動することを阻止することによって、停止位置２０４から停止位置２０４へのスクリーナの段階的な動作を可能にすることである。デテントは、スクリーナ１５３、又は、マスクユニット２０９、又は、ドライブ２０８といったように、都合のよいところにはどこにでも位置付けることが可能である。
【０１１０】
　図示するカメラ１２は、手動のスクリーンドライバ２０８を提供する。自動スクリーン２０８を設けることも可能である。例えば、スクリーナ１５３は、制御ユニットにより制御されるステッピングモータ等（図示せず）により駆動されることが可能である。その場合、デテントは、適切なプログラミングによって与えられることが可能である。
【０１１１】
　図１８−２３は、幾つか他のシェーディングスクリーン代替例（クロスハッチング領域により示す）と、走査画像に対するそれぞれのデジタル修正（破線により示す）を示す。図１８において、シェーディングスクリーン１５４は、潜像画像の左上コーナをクリッピングする。対応する修正は、擬似パノラマ最終画像である。図１９において、シェーディングスクリーン１５４は、潜像の右上コーナをクリッピングし、対応する修正は、望遠画像である。図２０において、左上コーナの大きい部分が、シェーディングスクリーン１５４によってクリッピングされ、画像は、修正において、第１の度合いでデジタルズームされる。図２１において、左上コーナの更に大きい部分がクリッピングされ、修正により与えられるズーム倍率は、図２０におけるよりも大きい。図２２において、潜像の全ての４つのコーナがシェーディングされる。この画像のクリッピングは、最終画像には干渉しない。何故なら、修正は、図２０と同じズーム倍率を与えるからである。図２３では、潜像の４つのコーナは更にクリッピングされる。ズーム倍率は、図２１と同じである。
【０１１２】
　図５、６、及び、２４ａ−３１を参照するに、図６のカメラ１２の変形は、上述したカメラ１２と同じような一般的な特徴を有する。カメラ１２は、シェル７６と、シェル７６内に取り付けられるカメラフレーム７８を有するカメラ本体７４を有する。本体７４は、他の部品を構造的に支持する。シェル７６は、前部カバー８０と後部カバー８１を含む。図示する実施例におけるシェル７６は、一対の対向するカバー８０、８１を有する。
【０１１３】
　カメラ１２は、フィルムホルダ７０、フィルムホルダ７０と一直線にされる露光系７２、及び、露光系７２により画成される光路に配置されるシェーディングスクリーン１５４を有する。図示する実施例では、フレーム７８の一部であるフィルムホルダ７０は、露光開口１７０を取り囲む露光フレーム１３２を有する。フィルムユニット１４は、フィルムホルダ７０内に保持される。
【０１１４】
　露光系７２は、本体７４内に取り付けられる。露光系７２は、光学軸１４０を有する撮影レンズ１００を有する。写真撮影時には、撮影レンズ１００は、撮影レンズ１００とバフル８６を介して、露光開口１７０にシーン画像を伝える。露光系７２は、フレーム７８に取り付けられるか又は、フレーム７８とカバー８０、８１との間の保持される。露光系７２は、撮影レンズ及びシャッタ組立体８８、フィルム運搬ユニット９０、ビューファインダユニット９４、及び、フラッシュユニット９６を含む。
【０１１５】
　スクリーナ２２６は、本体７４内に取り付けられる。スクリーナ２２６は、露光フレーム１３２に対し、回転軸２５４（図２４ｂに「＋」として示す）について回転可能である。スクリーナ２２６は、１次位置と、１つ以上の２次位置との間で回転する。異なる位置又は停止位置は、露光フレーム１３２に対するスクリーナ２２６の異なる角度回転において位置付けられる。デテントが、上述と同じように設けることができ、隣接する停止位置間での段階を別個にするよう、スクリーナ２２６の動作を制限することを支援する。
【０１１６】
　スクリーナ２２６は、透過する光を遮断する又はフィルタリングするシェーディングスクリーン１５４を有する。シェーディングは、シェーディングスクリーン１５４の全体に亘って均一であっても又は非均一であってもよい。シェーディングスクリーン１５４は、不透明であることも可能である。その場合、シェーディングスクリーンは、実質的に全ての光を遮断し、シェーディングはシャドーイングとも称する。シェーディングスクリーン１５４はフィルタであることも可能であり、その場合、シェーディングはフィルタリングとも称する。フィルタは、所定のパターンで均一でも非均一でもあることが可能である。シェーディングスクリーン１５４は、フィルタリングの領域とシャドーイングの領域の組合せを有することが可能である。各２次位置では、シェーディングスクリーン１５４は、露光開口１７０を部分的に覆い、且つ、透過される光の像の一部をシェーディングする。
【０１１７】
　図２４ａ‐３２のカメラ１２では、スクリーナ２２６は、露光フレーム１３２に隣接する。スクリーナ２２６は、図７に示すフィルタ１６の位置のように、光路の何処にでも置くことができる。スクリーナ２２６は、特定の場所に置くために、必要に応じて、サイズを変更することができる。
【０１１８】
　図２４ｂを参照するに、これらの実施例におけるシェ−ディングスクリーンは、円の一部のように形付けられ、参照番号１５４ｄにより示す。スクリーナ１５３は、シェーディングスクリーン１５４ｄと、１つ以上のリングセグメント２２８の形である支持構造体を含む。
【０１１９】
　シェーディングスクリーン１５４ｄは、アーチ部２３２と接続部２３４を有する境界２３０をそれぞれ有する。アーチ部２３２は、一対の対向端２３６を有する。接続部２３４は、アーチ部２３２の端２３６の間に延在する。図２６では、接続部２３４は、直線であり、円の弦を画成する。接続部２３４は、他の形状（図示せず）を有することも可能であり、例えば、のこぎり状又は階段状の形が可能である。このように形付けられる接続部２３４は、カメラの種類といった追加の符号情報を与える、又は、近い回転位置をより良好に区別するよう用いることが可能である。
【０１２０】
　シャーディングスクリーン１５４ｄは、１つ以上のリングセグメント２２８に接合される。この適用では、「近いリングセグメント２２８ａ」という用語は、シェーディングスクリーン１５４の境界のアーチ部２３２に半径方向に固定されるリングセグメントを意味するものとして用いる。「遠いリングセグメント２２８ｂ」という用語は、どこへもつながらない終点、又は、戻りアークでアーチ部２３２の反対の端２３６に向けて、シェーディングスクリーン１５４のアーチ部２３２の端２３６において外側に延在するリングセグメントを意味するものとして用いる。リングセグメント２２８は、完全な円、又は、少なくとも弧を形成することができる。露光開口１７０は、シェーディングスクリーン１５４ｄからは後方にあり、リングセグメント２２８が露光開口１７０を遮らないようリングセグメント２２８内に嵌り込むような寸法にされる。
【０１２１】
　スクリーナ２２６のリングセグメント２２８の全ラジアル範囲は、スクリーナ２２６の利用可能な１次位置及び２次位置により決められる。図２６−２９に示す実施例では、スクリーナ２２６は、全ての利用可能な位置に到達するには、少なくとも１８０度は回転しなければならない。この場合、両方の方向に３６０度の回転動作を可能にすることが好都合である。この実施例では、近いリングセグメント２２８ａは、シェーディングスクリーン１５４ｄの境界２３０のアーチ部２３２に沿って延在し、遠いリングセグメント２２８ｂは、近いリングセグメント２２８ａの両端に接続する。近い及び遠いリングセグメント２２８は一緒にされて、完全な円を画成する。
【０１２２】
　スクリーナ２２６は、近いリングセグメント２２８ａ又は遠いリングセグメント２２８ｂに制限することも可能である。近い及び遠いリングセグメント２２８の角度範囲は、１８０度であることも可能である。このような場合、スクリーナ２２６の角度回転も同様に制限される。
【０１２３】
　スクリーナドライブ２３８は、スクリーナ２２６を回転軸について回転させるようリングセグメント２２８に作用する。図示する実施例では、リングセグメント２２８は、リングギアのセクタであり、歯（図示せず）は、リングセグメント２２８の外側の円周面２４０に設置される。スクリーナドライブ２３８は、リングセグメント２２８の歯とかみ合わされるドライブギア２４２を有する。ドライブギア２４２に接続されるシャフト２４４が、シェル７６を通り、外部に取り付けられるノブ２４６まで延在し、このノブ２４６は、スクリーナ２２６を異なる位置間に動かすようユーザにより操作される。ギアトレイン（図示せず）を、シェーディングスクリーンドライブギア２４２の代わりに用いることも可能である。
【０１２４】
　或いは、スクリーナ２２６は、リングセグメント２８８の１つの長さ方向（例えば、３０度の長さ）がカメラ本体７４の外側に露出されることも可能である。その場合、ユーザは、スクリーナ２２６を直接回転することができる。この取組み方法は、部品をほとんど必要としないが、必要な軽いロックは、比較的複雑になる可能性がある。
【０１２５】
　カメラは、スクリーナと同時に駆動されるビューファインダマスクユニット２０９を含むことができる。図２４ａ、２４ｂに一例を示す。この場合、マスクユニットは、中心（図示せず）に対し異なる半径位置に配置されるマスク２１１のセットを有する薄い円盤である。マスク２１１は、支持構造体２１３により接続される。図２４ａ、２４ｂに示す実施例では、支持構造体２１３は透明である。マスク２１１は、予期されるデジタル処理後の最終画像には現れないビューファインダの一部をフィルタリング又はシャドーイングする。マスクユニット２０９は、後部カバー８１と外側パネル２２７との間の凹部２２５に保持され、ドライブギア２４２にかみ合わされるギアトレイン２１６により動作される。
【０１２６】
　上述したようなスクリーナドライバ２０８のようなスクリーナドライブ２３８は、当業者には周知の方法で変更することが可能である。例えば、ギアの代わりに摩擦ホイールを用いることが可能である。また、スクリーナドライブ２３８は、電気モータにより動力が与えられることも可能である。例えば、スクリーナドライブ２３８は、制御ユニット５６により制御されるステッピングモータにより動かされることが可能である。ユーザは、カメラ１２内でプログラム可能なコンピュータを介してモータに接続されるスイッチ又はユーザコントロール部を用いてスクリーナドライブ２３８を動作することができる。電気駆動されるスクリーナ２２６の正確な位置決めは、ズームレンズの位置付けと同じような方法で与えることが可能である。例えば、ステッピングモータを用いることができる、又は、或いは、特定の位置に到達したことを示すためにフィードバックを用いることも可能である。回転式エンコーダに接続される摩擦ディスク又はギアは、フィードバックを与えるために、コードプレート（図示せず）等を有することが可能である。
【０１２７】
　図２６−２９、及び、図３２、３３を参照するに、スクリーナ２２６は、ガイド２０２により定位置に保持される。ガイド２０２は、スクリーナドライブ２３８がスクリーナ２２６を回転することができるよう十分にゆるくスクリーナ２２６を保持する。ガイド２０２は、リングセグメント２２８のみに接触することが好適である。接触領域は、小さい弧であるか、又は、スクリーナ２２６の一行程を含むことが可能である。
【０１２８】
　図２４ａ、２４ｂに示す実施例では、ガイド２０２は、バフル８６内のスロットであり、スクリーナ２２６はそのスロット内で回転する。図２６−２９の実施例では、ガイド２０２は、カメラ１２のフレームに形成される連続的な、円形の溝である。図３２、３３に示す実施例では、一対の対向する、横に延在するフランジ２４８が、バフルに接続する。一対のスロット２５０がフランジ２４８、露光フレーム１３２に横方向の端２５２、及び、フィルムチャンバ１２８、１３０の介在部により画成される。横方向の端及びフランジ２４８は、スロットを境界付ける平行な隣接面を有する。これらの面と、チャンバ１２８、１３０の一部の面が、ガイド２０２となる。スクリーナ２２６は、スロット２５０内に収容される。スクリーナ２２６は、露光フレーム１３２の上部及び下部では、ガイド２０２がない。
【０１２９】
　特定の実施例では、シェーディングスクリーン１５４ｄは、シェーディングスクリーン１５４ｄが１次位置にある場合に、露光開口１７０から半径方向にオフセットである。このことは、図２６に示す。ユーザがノブ２４６を操作することによりシェーディングスクリーン１５４ｄが回転すると、露光フレーム１３２の異なる部分がクリッピングされ、結果として得られる潜像がフィルム上に捕捉される。図２５には、４枚の現像されたフィルムフレームを示す。左から右に向かって、図２６−２９に示すシェーディングスクリーン１５４ｄの位置にそれぞれ対応する。シェーディングは、クロスハッチングされた領域２５６により示す。各デジタル処理は、変更無し、第１の擬似ズーム、擬似パノラマ、及び、第１とは異なる第２の擬似ズームである。これらの特定の修正と各シェーディングスクリーンの位置において、シェーディングスクリーン１５４ｄは、最終画像に影響を与えることなく、不透明、又は、フィルタであることが可能である。
【０１３０】
　図２６に示す１次位置は、スクリーナ２２６が１次位置と２次位置との間で動かされるときに、スクリーナ２２６の回転軸を、光学軸１４０と一直線にされる位置からオフセット位置に再配置することにより達成することができる。例えば、図２６−２９のスクリーナ２２６及びガイド２０２は、露光フレーム１３２の平行な面にて並進するよう取り付けられることが可能である。この場合、シェーディングが所望される場合には、シェーディングスクリーン１５４を露光フレーム１３２の中心に合わせて露光フレーム１３２にかぶせ、シェーディングが所望されない場合には、被らないよう動かすことができる。
【０１３１】
　しかし、スクリーナ２２６の回転軸は、カメラ１２内において定位置に固定されることが好適である。その場合、スクリーナ２２６の回転軸は、光学軸１４０と平行及び光学軸１４０からオフセットにされる。シェーディング部のサイズは、１次位置では、シェーディング部が露光開口１７０から間隔が置かれる、又は、露光開口１７０と露光フレーム１３２の両方から間隔が置かれるようにされる。
【０１３２】
　図３０、３１を参照するに、カメラ１２は、光学軸１４０とは独立して、又は、光学軸１４０と連携して可動である２つのスクリーナ２２６を有することが可能である。図３０は、共通のスクリーナドライブ２３８により連携して動作される２つのスクリーナ２２６を示す。図３１は、それぞれ独立のスクリーナドライブ２３８により動作される２つのスクリーナ２２６を示す。前方スクリーナ２２６ａと後方スクリーナ２２６ｂは共に共通の回転軸と一直線にされる。スクリーナ２２６は、重ならないように構成されることが可能である。図３０は、前方スクリーナ２２６ａより半径方向に大きい後方スクリーナ２２６ｂを示す。後方スクリーナ２２６ｂのシェーディングスクリーン１５４ｄは、この結果を与えるよう半径範囲において制限されることが可能である。シェーディングスクリーン１５４ｄは更に、２つのシェーディングスクリーン１５４ｄが重ならないよう角度寸法及び／又は回転においても制限されることが可能である。或いは、図３１に示すように、２つのシェーディングスクリーン１５４ｄのシェーディング部は、適合するよう選択されることが可能であり、それにより、２つのスクリーンの効果が、各シェーディングスクリーン１５４ｄの全ての位置又は少なくとも一部の位置において区別することができるようにされる。例えば、１つのシェーディング部は赤のフィルタであり、もう１つのシェーディング部は青のフィルタであることが可能である。
【０１３３】
　図３７−３９は、別のカメラを示す。この場合、スクリーナ１５３は、支持構造体１５５により保持される１つのシェーディングスクリーン１５４を有する。シェーディングスクリーン１５３は、フィルタと同じように撮影レンズ１００の外側に位置付けられる。シェーディングスクリーン１５４は、透明又は空の中心領域と、不透明又はフィルタ外領域２５８を有する。支持構造体１５５は、カメラのノーズ２６２又はレンズバレル（図示せず）に重なるカウル２６０を含む。カウル２６０は、カウル２６０及びシェーディングスクリーン１５４の光学軸１４０に沿っての内側及び外側への動作を与える駆動部２６４に接続する。この動作は、回転のない軸方向のみで可能であるか、又は、シェーディングスクリーン１５３は、光学軸１４０について軸方向及び回転方向の両方で動作することが可能である。図示する実施例では、カウル２６０とノーズ２６２の非円形部２６５、又は、鍵及び鍵穴（図示せず）が、動作時のスクリーナ１５３の回転を阻止する。
【０１３４】
　図３７に示す第１の位置では、シェーディングスクリーンは、撮影レンズ１００から光学軸方向で間隔が設けられている。図３８は、シェーディングを有するスクリーナ１５３の別の位置を示す。追加のシェーディング位置は、カメラ本体７４のシェル７６に対する、カウル２６０のデテント又は簡単にマーク付けされた位置（図示せず）により与えられ得る。支持構造体１５５のドライブ部２６４は、カウル２６０及びシェーディングスクリーン１５３の動作を与えるよう適応される。図示する実施例では、ノーズ２６２及びカウル２６０は円筒状である。ドライブ部２６４も円筒状であり、カウル２６０及びドライブ部２６４は、ノーズ２６２の外側の円周面に密接して隣接する。ドライブ部２６４は、本体７４の内部にある。カウル２６０は、シェーディングスクリーン１５３の位置に依存して、異なる度合いで外側に突出する。ドライブ部２６４は、ドライブシリンダ２７０のカム２６８を受容する溝２６６を有する。ドライブシリンダ２７０は、ドライブ部２６４を囲み、カメラフレーム７８と前部カバー８０との間に挟まれる。ドライブシリンダ２７０は、前部カバー８０に開けられた三日月型の開口２７４を通り突出するノブ２７２を有する。ノブ２７２が、ユーザによって、開口２７４内においてピボットされると、カム２６８は、ドライブ部２６４に力を与え、ドライブ部２６４をカメラから離れるよう直線に動かす。
【０１３５】
　スクリーナ１５３は、他の方法で動くよう変更されることが可能である。例えば、本体７４に対するシェーディングスクリーン１５４の回転及び軸方向動作を可能にするよう、相互ネジ山（図示せず）を用いることが可能である。同様に、スクリーナ１５３は、ノーズ２６２又は本体７４の他の部分を前後に摺動する単純な管の形の支持構造体１５５を有することも可能である。
【０１３６】
　特定の実施例では、写真仕上げユニットはキオスクであり、他の写真仕上げユニットはユーザディスプレイを有する。この場合、写真仕上げユニットは、フィルムユニットがデジタル化された後にフィルタ効果又は符号パターン、或いはその両方を、手動で又は自動的に検出することができる。手動により検出は、選ばれたデジタル画像に制限されることが可能である。フィルタ効果又は符号パターンが検出されると、写真仕上げユニットは、予め割当てられるデジタル修正、又は、予め割当てられるデジタル修正を含むセットの全てのデジタル修正を表示することができる。後者の場合、予め割当てられるデジタル修正は、ハイライトされるか、又は、ユーザにより特定される。写真仕上げユニットは、その後、予め割当てられるデジタル修正の適用を受け付ける又は拒否する、及び、選択的に、多数の修正のうちの１つを指定する予め設定されたボタン等を介して、ユーザ入力を受け付ける。
【０１３７】
　本発明は、特定の好適な実施例を参照して詳細に説明したが、様々な変形及び修正を、本発明の技術的思想及び範囲から逸脱することなく行うことが可能であることを理解するものとする。
【０１３８】
　［本発明の他の特徴］
　他の特徴は、以下の番号が付けられる文に説明する。１．デジタル画像におけるフィルタ効果を検出する段階と、上記検出に応じて上記デジタル画像にデジタル修正を適用する段階とを含む写真方法であって、上記デジタル修正は、上記フィルタ効果に予め割当てられ、且つ、上記フィルタ効果に対し非補修的である。２．文１の方法は更に、上記デジタル画像を得るために、上記予め割当てられたフィルタ効果を含むフィルタ効果の群を示す、関連付けられる識別子を有するフィルム画像を走査して、上記フィルム画像をデジタル化する段階と、上記識別子を読出しする段階とを含む。３．文１の方法は更に、上記デジタル修正の適用とは無関係に、上記フィルタ効果を改善する段階を含む。４．文１の方法において、上記フィルタ効果は、カラーキャストである。５．文４の方法において、上記カラーキャストは、可視スペクトルの赤−黄部においてであり、上記適用段階は更に、上記電子画像をモノクロにする段階を含む。６．文４の方法において、上記デジタル画像は複数の画素を有し、上記検出段階は更に、上記デジタル画像の複数の画素の少なくとも一部の色値を自動分析する段階を含む。７．文６の方法において、上記分析段階は更に、上記デジタル画像を、各画素に対し少なくとも１つの輝度画素値と少なくとも２つのクロミナンス画素値を有する輝度−クロミナンス表現に変換する段階と、上記クロミナンス画素値から予測クロミナンスパラメータを計算する段階と、上記予測クロミナンスパラメータを、所定のフィルタ効果の基準クロミナンスパラメータと比較する段階とを含む。８．文７の方法において、上記分析段階は更に、上記予測クロミナンスパラメータが上記基準クロミナンスパラメータと一致する場合に、上記デジタル画像は上記フィルタ効果を有すると示す段階を含む。９．文８の方法は更に、上記予測クロミナンスパラメータが上記基準クロミナンスパラメータと一致しない場合に、上記デジタル画像を再現的画像として保持する段階を含む。１０．文７の方法において、上記基準クロミナンスパラメータは、上記クロミナンス画素値の相加平均である。１１．文７の方法において、上記基準クロミナンスパラメータは、最も明るい輝度画素値を有する画像画素のクロミナンス画素値の相加平均である。１２．文７の方法において、上記比較段階は、上記予測クロミナンスパラメータと、第１及び第２の予測クロミナンスパラメータの比較であり、上記第１の予測クロミナンスパラメータは、上記クロミナンス画素値の相加平均として計算され、上記第２の予測クロミナンスパラメータは、上記最も明るい輝度画素値を有する画素に対応するクロミナンス画素値の相加平均として計算される。１３．文６の方法において、上記分析段階は更に、上記画素のサンプルの色位置を、上記カラーキャストの基準色位置に比較する段階と、上記サンプルの画素が上記基準色位置に一致する場合に、上記デジタル画像は上記フィルタ効果を有すると示す段階とを含む。１４．文１３の方法において、各画素の色値は、別個のＲＧＢ画素値であり、上記比較段階は更に、各ＲＧＢ画素値を所定のＲＧＢ基準値に相関させる段階を含む。１５．文１の方法において、上記検出段階は更に、上記電子画像をオペレータに対し表示する段階と、上記フィルタ効果を指定するオペレータ入力を受け付ける段階を含む。１６．文１の方法は更に、捕捉画像を供給するよう光の像を捕捉する段階と、上記電子画像を供給するよう上記捕捉画像を走査する段階と、捕捉及び生成のいずれかにおいて、各画像の少なくとも一部をフィルタリング処理する段階とを含み、上記フィルタリング処理が上記フィルタ効果をもたらす。１７．文１の方法は更に、上記適用段階の後に、上記デジタル画像から最終画像をプリントする段階を含む。１８．文１の方法において、上記デジタル修正は、上記デジタル画像を、カラーからモノクロに変換することである。１９．捕捉画像から得られ、それぞれ複数の画素を有する複数のデジタル画像を受け取る段階と、１つ以上の捕捉画像が所定のフィルタ効果セットのうちの任意のフィルタ効果を含み得ることを示し、上記デジタル画像に関連付けられる指示を受け取る段階と、上記デジタル画像を、各画素に対し少なくとも１つの輝度画素値と少なくとも２つのクロミナンス画素値をそれぞれ有する輝度−クロミナンス表現に変換する段階と、上記デジタル画像の上記クロミナンス画素値から予測クロミナンスパラメータを計算する段階と、各予測クロミナンスパラメータを、各所定のフィルタ効果にそれぞれ関連付けられる少なくとも１つの基準クロミナンスパラメータと比較する段階とを含む写真方法。２０．文１９の方法は更に、上記予測クロミナンスパラメータが上記基準クロミナンスパラメータと一致する場合に、各フィルタ効果に予め割当てられるデジタル修正を用いて、各デジタル画像をデジタル修正する段階を含む。２１．文２０の方法は更に、上記予測クロミナンスパラメータが上記基準クロミナンスパラメータと一致しない場合に、上記デジタル画像を、デジタル修正のない再現的な画像として保持する段階を含む。２２．文１９の方法において、上記デジタル修正のうちの１つは、カラーデジタル画像をモノクロに変換することである。２３．文１９の方法において、上記基準クロミナンスパラメータは、上記クロミナンス画素値、及び、上記最も明るい輝度画素値を有する画像画素のいずれかの相加平均である。２４．文１９の方法において、上記比較段階は、上記予測クロミナンスパラメータと、第１及び第２の予測クロミナンスパラメータの比較であり、上記第１の予測クロミナンスパラメータは、上記クロミナンス画素値の相加平均として計算され、上記第２の予測クロミナンスパラメータは、上記最も明るい輝度画素値を有する画素に対応するクロミナンス画素値の相加平均として計算される。２５．文１９の方法は更に、上記予測クロミナンスパラメータが上記基準クロミナンスパラメータと一致する場合に、上記受取り段階の後で上記デジタル画像を表示する段階と、上記比較段階の後で各フィルタ効果に予め割当てられるデジタル修正を特定する印を表示する段階とを含む。２６．文２５の方法は更に、全てのフィルタ効果を特定する印を表示する段階と、フィルタ効果のうちの選択されるフィルタ効果を１つ以上のデジタル画像に割当てるユーザ入力を受け取る段階とを含む。２７．文２５の方法は更に、上記変換、計算、及び、比較を、上記デジタル画像のうち選択されたデジタル画像に制限するユーザ入力を受け付ける段階を含む。２８．フィルム画像の群を写真フィルム上に捕捉する段階と、上記捕捉段階において、フィルタリング処理によるフィルタ効果を有するフィルタリング処理されたフィルム画像を供給するよう１つ以上のフィルム画像の少なくとも一部を選択的にフィルタリング処理する段階と、現像画像を供給するよう上記フィルム画像を現像する段階と、上記現像画像に対応する電子画像の群を供給するよう上記可視画像を走査する段階と、フィルタリング処理されたフィルム画像に対応する上記電子画像におけるフィルタ効果を検出する段階と、上記検出に応じて、上記フィルタ効果を有する画像のみにデジタル修正を適用する段階とを含み、上記デジタル修正は、上記フィルタ効果に予め割当てられている、写真方法。２９．文２８の方法は更に、上記写真フィルムに関連付けられる識別子を検出する段階を更に含み、上記識別子は、上記フィルム画像が走査を必要とするものとして指定する。３０．一連のデジタル画像を供給するようフィルムユニット群のフィルムストリップ上の一連の捕捉画像をデジタル化するデジタイザと、１つ以上のデジタル画像におけるフィルタ効果を検出し、上記検出に応じて、各デジタル画像にデジタル修正を適用するよう上記デジタル画像を自動デジタル処理するデジタルフルフィルメントエンジンとを含み、上記デジタル修正は、上記フィルタ効果に予め割当てられ、且つ、上記フィルタ効果に対し非補修的である写真仕上げユニット。３１．文３０の写真仕上げユニットにおいて、上記フィルムユニットは、上記フィルタ符号化の標識がつけられ、更に、写真仕上げユニットは更に、上記フィルムユニットを受容し、上記標識を読出しし、上記デジタルプロセッサに検出信号を出力するよう構成される検出器を含み、上記検出は、上記検出信号によるものである。３２．文３１の写真仕上げユニットにおいて、上記標識は、カートリッジＩＤである。３３．文３０の写真仕上げユニットにおいて、上記修正は、スペクトル効果の保持を含む。３４．文３０の写真仕上げユニットにおいて、上記修正は、上記スペクトル効果の除去を含む。３５．文３０の写真仕上げユニットにおいて、捕捉画像はカラーであり、上記スペクトル効果は、カラーキャストである。３６．文３５の写真仕上げユニットにおいて、カラーキャストは、可視スペクトルの赤−黄部分においてであり、上記修正は、フィルタリング処理される画像をモノクロにすることである。３７．文３６の写真仕上げユニットにおいて、上記修正は、上記カラーキャストのグレースケール効果を保持することである。３８．文３５の写真仕上げユニットにおいて、上記修正は、上記カラーキャストを除去することである。３９．文３５の写真仕上げユニットにおいて、上記カラーキャストは非均一である。４０．第１及び第２の複数のカメラと、写真仕上げユニットとを含み、各カメラは、本体と、上記本体内に着脱可能に配置され、アーカイバル媒体を含むフィルムユニットと、上記本体内に配置される捕捉ユニットと含み、上記捕捉ユニットは、光学路を画成し、上記捕捉ユニットは、上記アーカイバル媒体にアーカイバル画像として、上記光学路に沿って伝えられる一連の光の像を選択的に捕捉し、上記第１の複数のカメラの各カメラは、上記本体内に配置されるカラーフィルタを更に含み、上記フィルタは、光学路にあり、上記光の像がフィルタ効果を受ける使用位置を有し、上記第２の複数のカメラの各カメラは、上記カラーフィルタを有さず、上記写真仕上げユニットは、一連のデジタル画像を供給するようフィルムユニットの群のフィルムストリップ上の一連の捕捉画像をデジタル化するデジタイザと、１つ以上の上記デジタル画像におけるフィルタ効果を検出し、上記検出に応じて、各デジタル画像にデジタル修正を適用するよう上記デジタル画像を自動デジタル処理するデジタルフルフィルメントエンジンとを含み、上記デジタル修正は、上記フィルタ効果に予め割当てられ、且つ、上記フィルタ効果に対し非補修的である、写真システム。４１．文４０のシステムにおいて、第１の複数のカメラのフィルタは、それぞれ、光の像がフィルタ効果を受ける、光学路における使用位置と、光の像はフィルタリングされない、光学路から間隔が置かれる収納位置との間で選択的に可動である。４２．文４０のシステムにおいて、フィルタ効果はカラーキャストである。４３．文４２のシステムにおいて、上記デジタルフルフィルメントエンジンは、上記カラーキャストの存在を判断し、上記カラーキャストに予め割当てられる修正に応じて上記カラーキャストを有する光の像を変更するために、上記電子画像を自動デジタル処理する。４４．文４３のシステムにおいて、上記デジタル処理は更に、上記デジタル画像を、各画素に対し少なくとも１つの輝度画素値と少なくとも２つのクロミナンス画素値をそれぞれ有する輝度−クロミナンス表現に変換する段階と、上記クロミナンス画素値から予測クロミナンスパラメータを計算する段階と、上記予測クロミナンスパラメータを、所定のフィルタ効果に関連付けられる基準クロミナンスパラメータと比較する段階と、上記予測クロミナンスパラメータが上記基準クロミナンスパラメータと一致する場合に、上記デジタル画像は上記フィルタ効果を有すると示す段階と、上記予測クロミナンスパラメータが上記基準クロミナンスパラメータと一致しない場合に、上記デジタル画像を再現的画像として維持する段階を含む。
【図面の簡単な説明】
【０１３９】
【図１】本発明の方法の１つの実施例を示す図である。フィルタ符号化された画像に対する処理を示す。
【図２】図１の方法による、フィルタリング処理されない画像の処理を示す図である。
【図３】図１の方法の修正を用いてフィルタ符号化される画像の処理を示す図である。
【図４】本発明の写真システムの１つの実施例を示す図である。
【図５】図４のシステムに使用可能であるカメラを示す正面斜視図である。フィルタは、カメラから離して示す。
【図６】図５のカメラを示す分解斜視図である。
【図７】撮影レンズユニットの光路に沿って取られた、図５のカメラの変形を示す部分断面図である。フィルタを実線で示す。フィルタの別の位置は破線で示す。
【図８】切替え可能な符号化フィルタを有するカメラを示す斜視図である。
【図９】カメラの別の実施例の符号化フィルタリング処理された露光開口を示す図である。
【図１０】カメラの更に別の実施例の符号化フィルタリング処理された露光開口を示す図である。
【図１１】シェーディングアウトライン符号化を有するカメラの１つの実施例を示す半図解式図（Ｓｅｍｉ−ｄｉａｇｒａｍｍａｔｉｃａｌ　ｖｉｅｗ）である。第１及び第２のスクリーナは、第１の位置にある。
【図１２】シェーディングアウトライン符号化を有するカメラの１つの実施例を示す半図解式図である。第１及び第２のスクリーナは、第２の位置にある。
【図１３】シェーディングアウトライン符号化を有するカメラの１つの実施例を示す半図解式図である。第１及び第２のスクリーナは、第３の位置にある。
【図１４】シェーディングアウトライン符号化を有するカメラの１つの実施例を示す半図解式図である。第１及び第２のスクリーナは、第４の位置にある。
【図１５】図１１−１４のカメラの変形を示す半図解式図である。
【図１６】制御ノブを示す図１５のカメラの部分平面図である。
【図１７ａ】図１５のカメラのスクリーナを示す側面図である。
【図１７ｂ】図１５のカメラのビューファインダマスクを示す側面図である。
【図１８】カメラの別の実施例のシェーディングアウトライン符号化される露光開口を示す図である。１つのシェーディングスクリーン位置を示す。
【図１９】カメラの別の実施例のシェーディングアウトライン符号化される露光開口を示す図である。図１８とは異なる１つのシェーディングスクリーン位置を示す。
【図２０】カメラの別の実施例の同一のビューを示す図である。
【図２１】カメラの別の実施例の同一のビューを示す図である。
【図２２】カメラの更に別の実施例の同一のビューを示す図である。
【図２３】カメラの更に別の実施例の同一のビューを示す図である。
【図２４ａ】図６のカメラの変形の一部を示す分解斜視図である。
【図２４ｂ】図２４ａのカメラを示す半図解式背面図である。実線は、ビューファインダの位置とビューファインダスクリーナを示す。破線は、露光フレーム、スクリーナ、及び、スクリーンドライブの一部を示す。
【図２５】図２４のカメラからの現像フィルムストリップを示す図である。４枚のフィルムフレームを示す。右端からの３枚は、異なるシェーディングアウトライン符号化を有する。
【図２６】図２５の左端のフィルムフレームに対応する位置にある第２のスクリーナを示す、図２４のカメラの半図解式背面図である。明瞭さのために、ビューファインダスクリーナ、を含むカメラ特徴は図示しない。
【図２７】図２５の左端から２番目のフィルムフレームに対応する位置にある第２のスクリーナを示す、図２４のカメラの半図解式背面図である。明瞭さのために、ビューファインダスクリーナ、を含むカメラ特徴は図示しない。
【図２８】図２５の右端から２番目のフィルムフレームに対応する位置にある第２のスクリーナを示す、図２４のカメラの半図解式背面図である。明瞭さのために、ビューファインダスクリーナ、を含むカメラ特徴は図示しない。
【図２９】図２５の右端のフィルムフレームに対応する位置にある第２のスクリーナを示す、図２４のカメラの半図解式背面図である。明瞭さのために、ビューファインダスクリーナ、を含むカメラ特徴は図示しない。
【図３０】図２６−２９のカメラを示す断面図である。両方のスクリーナを図示する。
【図３１】変更されたカメラを示す図３０と同様の断面図である。第１のスクリーナは図示しない。
【図３２】図２６−２９のカメラの変形を示す半図解式背面図である。
【図３３】図３２のカメラを示す半図解式断面図である。
【図３４】符号化フィルタを用いることなく撮影されるクロミナンス画素データのクロミナンス空間を示すグラフである。画素データは、任意の自然シーンを表す。
【図３５】選択されるカラー符号化フィルタを用いて撮影される、図３４と同じシーンに対するクロミナンス画素データのクロミナンス空間を示すグラフである。
【図３６】図３５のカラー符号化フィルタに対し計算される色位置を示すクロミナンス空間を示すグラフである。
【図３７】カメラの別の実施例を示す半図解式断面図である。シェーディングスクリーンは、撮影レンズから光路において間隔が置かれる第１の位置にある。
【図３８】図３７と同じ半図解式断面図を示すが、シェーディングスクリーンは、撮影レンズを介して伝播される光の像を部分的にシェーディングする第２の位置にある。
【図３９】図３７のカメラを示す斜視図である。
【符号の説明】
【０１４０】
１０　シーンの像
１２　カメラ
１４　フィルムユニット
１６　符号化フィルタ
１８　潜像
２０　検出器
２２　標識
２３　デジタルフルフィルメントエンジン
２４　化学プロセッサ
２６　フィルム画像
２８　走査
３０　電子画像
３２　デジタル処理
３４　モノクロのグレースケール修正画像
３６　最終的なデジタル処理画像
３８　写真仕上げユニット
４０　フィルムストリップ
４２　記号表示
４４　バーコード
４６　フィルム供給リール
４８　デジタルスキャナ
５０　フィルム巻取りリール
５６　制御ユニット
５８　投射光源
６０　フレームゲート
６２　フォーカスレンズ
６４　画像センサ
６６　Ａ／Ｄ変換器
６８　出力装置
７０　フィルムホルダ
７２　露光系
７４　本体
７６　シェル
７８　バフル付きフレーム
８０　前部カバー
８１　後部カバー
８２　ラベル
８４　カメラフレーム
８６　バフル
８８　撮影レンズ及びシャッタ組立体
９０　フィルム運搬ユニット
９２　キーパプレート
９４　ビューファインダユニット
９６　フラッシュユニット
９８　シャッタ
１００　撮影レンズ
１０２、１０４、前部支持部材、後者支持部材
１０６　シャッタ付勢バネ
１０８　バフル付きフレーム７８の取り付け部
１１０　フラッシュ接触子
１１２　電池
１１４　　スプロケットホイール
１１６　マルチプルピース計測−充電組立体
１１８　フィルムアドバンス
１２０　カウンタホイール
１２２　付勢バネ
１２４　回転式マルチプルレベルカムユニット
１２５　対向レンズ
１２６　一体式シャッタレリーズ
１２７　対向レンズ
１２８、１３０　フィルムチャンバ
１３１　トンネル
１３２　露光フレーム
１３４　キャニスタ
１３６　スプール
１３８　前部カバーに形成される開口
１４０　光学軸
１４２、１４４　レンズ素子
１４６　前部カバーの凹部
１４８　ブラケット
１５０　フィルタホルダ
１５２　フィルタの摺動可能方向
１５４　シェーディングスクリーン
１５６、１５８　対向縁
１６０　上部
１６２　下部
１６４　フィルタリング処理されない大きい部分
１６６、１６８　フィルタリング処理される小さい部分
１７０　露光開口
１７１　昼光照明で撮影された色的に中性の被写体の色位置
１７２　輪郭線
１７３　クロミナンスが措置の数値平均又は中心
１７４　最も明るい輝度値を有する画素の色位置
１８１　昼光照明で撮影された色的に中性の被写体と選択される符号化フィルタの色位置
１８２　輪郭線
１８３　クロミナンス空間にシフトされた平均色値
１８４　クロミナンス空間にシフトされた最も明るい色値
１８５　昼光色位置
１９１　フィルタ色位置
１９３　平均色値
１９４　最も明るい色値
１９５　昼光色位置
１９６　クロミナンス空間を分割する線
２０２　ガイド
２０４　停止位置
２０８　スクリーンドライバ
２０８ａ　タブ
２１０　ローラ
２１５　ローラ
２１６　ギアトレイン
２１８　円形
２２０　デテント
２２２　受容部
２２４　印
２２６　スクリーナ
２２８　リングセグメント
２３０　境界
２３２　アーチ部
２３４　接続部
２３６　アーチ部の端
２３８　スクリーンドライブ
２４０　円周面
２４２　ドライブギア
２４６　ノブ
２４８　フランジ
２５０　スロット
２５２　横方向の端
２５４　回転軸
２５６　クロスハッチングされた領域
２５８　不透明又はフィルタ外領域
２６０　カウル
２６２　カメラのノーズ
２６４　駆動部
２６６　溝
２６８　カム
２７０　ドライブシリンダ
２７２　ノブ
２７４　三日月型の開口
【図１】
2004140829.tif 000007
【図２】
2004140829.tif 000008
【図３】
2004140829.tif 000009
【図４】
2004140829.tif 000010
【図５】
2004140829.tif 000011
【図６】
2004140829.tif 000012
【図７】
2004140829.tif 000013
【図８】
2004140829.tif 000014
【図９】
2004140829.tif 000015
【図１０】
2004140829.tif 000016
【図１１】
2004140829.tif 000017
【図１２】
2004140829.tif 000018
【図１３】
2004140829.tif 000019
【図１４】
2004140829.tif 000020
【図１５】
2004140829.tif 000021
【図１６】
2004140829.tif 000022
【図１７ａ】
2004140829.tif 000023
【図１７ｂ】
2004140829.tif 000024
【図１８】
2004140829.tif 000025
【図１９】
2004140829.tif 000026
【図２０】
2004140829.tif 000027
【図２１】
2004140829.tif 000028
【図２２】
2004140829.tif 000029
【図２３】
2004140829.tif 000030
【図２４ａ】
2004140829.tif 000031
【図２４ｂ】
2004140829.tif 000032
【図２５】
2004140829.tif 000033
【図２６】
2004140829.tif 000034
【図２７】
2004140829.tif 000035
【図２８】
2004140829.tif 000036
【図２９】
2004140829.tif 000037
【図３０】
2004140829.tif 000038
【図３１】
2004140829.tif 000039
【図３２】
2004140829.tif 000040
【図３３】
2004140829.tif 000041
【図３４】
2004140829.tif 000042
【図３５】
2004140829.tif 000043
【図３６】
2004140829.tif 000044
【図３７】
2004140829.tif 000045
【図３８】
2004140829.tif 000046
【図３９】
2004140829.tif 000047